(57)【要約】  本発明はダウンリンク制御情報の伝送方法及び装置を開示する。本発明において、伝送するダウンリンク制御情報には、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザーを示す第３情報フィールドとうちの少なくとも１つ以上が含まれる。ダウンリンク制御情報により、伝送リソースの、周波数領域及び/または時間領域において占有されたリソースサイズを示すことができるため、可変伝送時間間隔の場合に、リソースを柔軟に割り当てることにより、ダウンリンク制御情報を伝送することができるようになる。【選択図】図４
2019504572.tif 000002
【特許請求の範囲】
【請求項１】
ダウンリンク制御情報（ＤＣＩ）を伝送し、
前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザー）を指示する第３情報フィールドとのうちの１つ以上が含まれ、Ｎは１より大きいか等しい整数であることを特徴とするダウンリンク制御情報の伝送方法。
【請求項２】
前記ＤＣＩによりスケジューリングされたデータリソースに占有された周波数領域リソースは、
前記ＤＣＩによりスケジューリングされたデータリソースに占有されたリソースブロック数、または、
前記ＤＣＩによりスケジューリングされたデータリソースに占有されたリソースブロック数及びリソース開始位置、または、
前記ＤＣＩによりスケジューリングされたデータリソースに占有されたリソース・エレメント数、または、
前記ＤＣＩによりスケジューリングされたデータリソースに占有されたリソース・エレメント数及びリソース・エレメントの開始インデックス、または、
前記ＤＣＩによりスケジューリングされたデータリソースに占有されたサブキャリア数、または、
前記ＤＣＩによりスケジューリングされたデータリソースに占有されたサブキャリア数及び開始インデックスを含むことを特徴とする請求項１に記載のダウンリンク制御情報の伝送方法。
【請求項３】
前記ＤＣＩによりスケジューリングされたデータリソースに占有された時間領域リソースは、
前記ＤＣＩによりスケジューリングされたデータリソースに占有されたシンボル数、または、
前記ＤＣＩによりスケジューリングされたデータリソースに占有されたシンボル数及び開始シンボルインデックス、または、
前記ＤＣＩによりスケジューリングされたデータ伝送に用いられる伝送時間間隔（ＴＴＩ）長、または、
前記ＤＣＩによりスケジューリングされたデータ伝送に用いられる伝送時間間隔（ＴＴＩ）長及びデータ伝送の時間領域の開始位置を含むことを特徴とする請求項１に記載のダウンリンク制御情報の伝送方法。
【請求項４】
前記第３情報フィールドは、前記スケジューリングされたＮ個のユーザーのユーザー識別子を示すことを特徴とする請求項１に記載のダウンリンク制御情報の伝送方法。
【請求項５】
前記ＤＣＩには、
１つまたは１グループのＭＣＳ（Ｍｏｄｕｌａｔｉｏｎ ａｎｄ Ｃｏｄｉｎｇ Ｓｃｈｅｍｅ）を示す第４情報フィールドと、
１つまたは１グループの多入力多出力チャネル情報を示す第５情報フィールドと、
１つまたは１グループのＨＡＲＱプロセス識別子を示す第６情報フィールドと、
１つまたは１グループのアップリンクＨＡＲＱのACK/ NACK情報を示す第７情報フィールドと、
伝送タイプ及び/またはサービスタイプを示す第８情報フィールドとのうちの１つまたはそれらの任意の組み合わせが含まれることを特徴とする請求項１ないし請求項４のいずれか１項に記載のダウンリンク制御情報の伝送方法。
【請求項６】
前記第７情報フィールドは、アップリンク伝送をスケジューリングするためのＤＣＩに含まれることを特徴とする請求項５に記載のダウンリンク制御情報の伝送方法。
【請求項７】
前記ＤＣＩには第９情報フィールドがさらに含まれ、前記第９情報フィールドは、スケジューリングされた１グループのユーザーが前記ＤＣＩ内の前記第１情報フィールド及び前記第２情報フィールドにより示される時間・周波数リソース領域を等しく割り当てられているかどうかを示し、前記等しく割り当てられることは、時間領域において等しく割り当てられ、または、周波数領域において等しく割り当てられることを含むことを特徴とする請求項１ないし請求項６のいずれか１項に記載のダウンリンク制御情報の伝送方法。
【請求項８】
ＤＣＩを伝送する前、基地局は、前記Ｎ個のユーザーのため伝送リソースを割り当てることを特徴とする請求項１ないし請求項７のいずれか１項に記載のダウンリンク制御情報の伝送方法。
【請求項９】
ＤＣＩを伝送した後、基地局は、割り当てられた伝送リソースに基づき、前記Ｎ個のユーザーにデータを伝送することを特徴とする請求項１ないし請求項７のいずれか１項に記載のダウンリンク制御情報の伝送方法。
【請求項１０】
ダウンリンク制御情報（ＤＣＩ）を受信し、
前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザー）を指示する第３情報フィールドとのうちの１つ以上が含まれ、Ｎは１より大きいか等しい整数であることを特徴とするダウンリンク制御情報の伝送方法。
【請求項１１】
前記ＤＣＩによりスケジューリングされたデータリソースに占有された周波数領域リソースは、
前記ＤＣＩによりスケジューリングされたデータリソースに占有されたリソースブロック数、または、
前記ＤＣＩによりスケジューリングされたデータリソースに占有されたリソースブロック数及びリソース開始位置、または、
前記ＤＣＩによりスケジューリングされたデータリソースに占有されたリソース・エレメント数、または、
前記ＤＣＩによりスケジューリングされたデータリソースに占有されたリソース・エレメント数及びリソース・エレメントの開始インデックス、または、
前記ＤＣＩによりスケジューリングされたデータリソースに占有されたサブキャリア数、または、
前記ＤＣＩによりスケジューリングされたデータリソースに占有されたサブキャリア数及び開始インデックスを含むことを特徴とする請求項１０に記載のダウンリンク制御情報の伝送方法。
【請求項１２】
前記ＤＣＩによりスケジューリングされたデータリソースに占有された時間領域リソースは、
前記ＤＣＩによりスケジューリングされたデータリソースに占有されたシンボル数、または、
前記ＤＣＩによりスケジューリングされたデータリソースに占有されたシンボル数及び開始シンボルインデックス、または、
前記ＤＣＩによりスケジューリングされたデータ伝送に用いられる伝送時間間隔（ＴＴＩ）長、または、
前記ＤＣＩによりスケジューリングされたデータ伝送に用いられる伝送時間間隔（ＴＴＩ）長及びデータ伝送の時間領域の開始位置を含むことを特徴とする請求項１０に記載のダウンリンク制御情報の伝送方法。
【請求項１３】
前記第３情報フィールドは、前記スケジューリングされたＮ個のユーザーのユーザー識別子を示すことを特徴とする請求項１０に記載のダウンリンク制御情報の伝送方法。
【請求項１４】
前記ＤＣＩには、
１つまたは１グループのＭＣＳ（Ｍｏｄｕｌａｔｉｏｎ ａｎｄ Ｃｏｄｉｎｇ Ｓｃｈｅｍｅ）を示す第４情報フィールドと
１つまたは１グループの多入力多出力チャネル情報を示す第５情報フィールドと
１つまたは１グループのＨＡＲＱプロセス識別子を示す第６情報フィールドと、
１つまたは１グループのアップリンクＨＡＲＱのACK/ NACK情報を示す第７情報フィールドと、
伝送タイプ及び/またはサービスタイプを示す第８情報フィールドとのうちの１つまたはそれらの任意の組み合わせが含まれることを特徴とする請求項１０ないし請求項１３のいずれか１項に記載のダウンリンク制御情報の伝送方法。
【請求項１５】
前記第７情報フィールドは、アップリンク伝送をスケジューリングするためのＤＣＩに含まれることを特徴とする請求項１４に記載のダウンリンク制御情報の伝送方法。
【請求項１６】
前記ＤＣＩには第９情報フィールドがさらに含まれ、前記第９情報フィールドは、スケジューリングされた１グループのユーザーが前記ＤＣＩ内の前記第１情報フィールド及び前記第２情報フィールドにより示される時間・周波数リソース領域を等しく割り当てられているかどうかを示し、前記等しく割り当てられることは、時間領域において等しく割り当てられ、または、周波数領域において等しく割り当てられることを含むことを特徴とする請求項１０ないし請求項１５のいずれか１項に記載のダウンリンク制御情報の伝送方法。
【請求項１７】
ダウンリンク制御情報を受信した後、基地局から割り当てられた伝送リソースにおいてデータを送信するか受信することを特徴とする請求項１０ないし請求項１６のいずれか１項に記載のダウンリンク制御情報の伝送方法。
【請求項１８】
ダウンリンク制御情報（ＤＣＩ）を伝送する送信モジュールを備え、
前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザー）を指示する第３情報フィールドとのうちの１つ以上が含まれ、Ｎは１より大きいか等しい整数であることを特徴とする基地局。
【請求項１９】
前記ＤＣＩによりスケジューリングされたデータリソースに占有された周波数領域リソースは、
前記ＤＣＩによりスケジューリングされたデータリソースに占有されたリソースブロック数、または、
前記ＤＣＩによりスケジューリングされたデータリソースに占有されたリソースブロック数及びリソース開始位置、または、
前記ＤＣＩによりスケジューリングされたデータリソースに占有されたリソース・エレメント数、または、
前記ＤＣＩによりスケジューリングされたデータリソースに占有されたリソース・エレメント数及びリソース・エレメントの開始インデックス、または、
前記ＤＣＩによりスケジューリングされたデータリソースに占有されたサブキャリア数、または、
前記ＤＣＩによりスケジューリングされたデータリソースに占有されたサブキャリア数及び開始インデックスを含むことを特徴とする請求項１８に記載の基地局。
【請求項２０】
前記ＤＣＩによりスケジューリングされたデータリソースに占有された時間領域リソースは、
前記ＤＣＩによりスケジューリングされたデータリソースに占有されたシンボル数、または、
前記ＤＣＩによりスケジューリングされたデータリソースに占有されたシンボル数及び開始シンボルインデックス、または、
前記ＤＣＩによりスケジューリングされたデータ伝送に用いられる伝送時間間隔（ＴＴＩ）長、または、
前記ＤＣＩによりスケジューリングされたデータ伝送に用いられる伝送時間間隔（ＴＴＩ）長及びデータ伝送の時間領域の開始位置を含むことを特徴とする請求項１８に記載の基地局。
【請求項２１】
前記第３情報フィールドは、前記スケジューリングされたＮ個のユーザーのユーザー識別子を示すことを特徴とする請求項１８に記載の基地局。
【請求項２２】
前記ＤＣＩには、
１つまたは１グループのＭＣＳ（Ｍｏｄｕｌａｔｉｏｎ ａｎｄ Ｃｏｄｉｎｇ Ｓｃｈｅｍｅ）を示す第４情報フィールドと、
１つまたは１グループの多入力多出力チャネル情報を示す第５情報フィールドと、
１つまたは１グループのＨＡＲＱプロセス識別子を示す第６情報フィールドと、
１つまたは１グループのアップリンクＨＡＲＱのACK/ NACK情報を示す第７情報フィールドと、
伝送タイプ及び/またはサービスタイプを示す第８情報フィールドとのうちの１つまたはそれらの任意の組み合わせが含まれることを特徴とする請求項１８ないし請求項２１のいずれか１項に記載の基地局。
【請求項２３】
前記第７情報フィールドは、アップリンク伝送をスケジューリングするためのＤＣＩに含まれることを特徴とする請求項２２に記載の基地局。
【請求項２４】
前記ＤＣＩには第９情報フィールドがさらに含まれ、前記第９情報フィールドは、スケジューリングされた１グループのユーザーが前記ＤＣＩ内の前記第１情報フィールド及び前記第２情報フィールドにより示される時間・周波数リソース領域を等しく割り当てられているかどうかを示し、前記等しく割り当てられることは、時間領域において等しく割り当てられ、または、周波数領域において等しく割り当てられることを含むことを特徴とする請求項１８ないし請求項２３のいずれか１項に記載の基地局。
【請求項２５】
ダウンリンク制御情報を伝送する前、前記Ｎ個のユーザーのために情報伝送リソースを割り当てる割り当てモジュールを備えることを特徴とする請求項１８ないし請求項２４のいずれか１項に記載の基地局。
【請求項２６】
ダウンリンク制御情報を伝送した後、割り当てられた伝送リソースにおいて前記Ｎ個のユーザーにデータを伝送する伝送モジュールを備えることを特徴とする請求項１８ないし請求項２４のいずれか１項に記載の基地局。
【請求項２７】
ダウンリンク制御情報（ＤＣＩ）を受する受信モジュールを備え、
前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザー）を指示する第３情報フィールドとのうちの１つ以上が含まれ、Ｎは１より大きいか等しい整数であることを特徴とする端末。
【請求項２８】
前記ＤＣＩによりスケジューリングされたデータリソースに占有された周波数領域リソースは、
前記ＤＣＩによりスケジューリングされたデータリソースに占有されたリソースブロック数、または、
前記ＤＣＩによりスケジューリングされたデータリソースに占有されたリソースブロック数及びリソース開始位置、または、
前記ＤＣＩによりスケジューリングされたデータリソースに占有されたリソース・エレメント数、または、
前記ＤＣＩによりスケジューリングされたデータリソースに占有されたリソース・エレメント数及びリソース・エレメントの開始インデックス、または、
前記ＤＣＩによりスケジューリングされたデータリソースに占有されたサブキャリア数、または、
前記ＤＣＩによりスケジューリングされたデータリソースに占有されたサブキャリア数及び開始インデックスを含むことを特徴とする請求項２７に記載の端末。
【請求項２９】
前記ＤＣＩによりスケジューリングされたデータリソースに占有された時間領域リソースは、
前記ＤＣＩによりスケジューリングされたデータリソースに占有されたシンボル数、または、
前記ＤＣＩによりスケジューリングされたデータリソースに占有されたシンボル数及び開始シンボルインデックス、または、
前記ＤＣＩによりスケジューリングされたデータ伝送に用いられる伝送時間間隔（ＴＴＩ）長、または、
前記ＤＣＩによりスケジューリングされたデータ伝送に用いられる伝送時間間隔（ＴＴＩ）長及びデータ伝送の時間領域の開始位置を含むことを特徴とする請求項２７に記載の端末。
【請求項３０】
前記第３情報フィールドは、前記スケジューリングされたＮ個のユーザーのユーザー識別子を示すことを特徴とする請求項２７に記載の端末。
【請求項３１】
前記ＤＣＩには、
１つまたは１グループのＭＣＳ（Ｍｏｄｕｌａｔｉｏｎ ａｎｄ Ｃｏｄｉｎｇ Ｓｃｈｅｍｅ）を示す第４情報フィールドと、
１つまたは１グループの多入力多出力チャネル情報を示す第５情報フィールドと、
１つまたは１グループのＨＡＲＱプロセス識別子を示す第６情報フィールドと、
１つまたは１グループのアップリンクＨＡＲＱのＡＣＫ/ＮＡＣＫ情報を示す第７情報フィールドと、
伝送タイプ及び/またはサービスタイプを示す第８情報フィールドとのうちの１つまたはそれらの任意の組み合わせが含まれることを特徴とする請求項２７ないし請求項３０のいずれか１項に記載の端末。
【請求項３２】
前記第７情報フィールドは、アップリンク伝送をスケジューリングするためのＤＣＩに含まれることを特徴とする請求項３１に記載の端末。
【請求項３３】
前記ＤＣＩには第９情報フィールドがさらに含まれ、前記第９情報フィールドは、スケジューリングされた１グループのユーザーが前記ＤＣＩ内の前記第１情報フィールド及び前記第２情報フィールドにより示される時間・周波数リソース領域を等しく割り当てられているかどうかを示し、前記等しく割り当てられることは、時間領域において等しく割り当てられ、または、周波数領域において等しく割り当てられることを含むことを特徴とする請求項２７ないし請求項３２のいずれか１項に記載の端末。
【請求項３４】
ＤＣＩを受信した後、基地局から割り当てられた伝送リソースにおいてデータを送信するか受信する伝送モジュールを備えることを特徴とする請求項２７ないし請求項３３のいずれか１項に記載の端末。
【請求項３５】
プロセッサと、メモリと、送受信機と、バスインターフェース戸を備え、
前記プロセッサは、メモリに格納されたプログラムを読み出して、ダウンリンク制御情報（ＤＣＩ）を伝送し、前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザー）を指示する第３情報フィールドとのうちの１つ以上が含まれ、Ｎは１より大きいか等しい整数であることを特徴とする基地局。
【請求項３６】
プロセッサと、メモリと、送受信機と、バスインターフェース戸を備え、
前記プロセッサは、メモリに格納されたプログラムを読み出して、
ダウンリンク制御情報（ＤＣＩ）を受信し、前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザー）を指示する第３情報フィールドとのうちの１つ以上が含まれ、Ｎは１より大きいか等しい整数であることを特徴とする端末。
【発明の詳細な説明】
【技術分野】
【０００１】
本発明は通信技術分野に関し、特に、ダウンリンク制御情報の伝送方法及び装置に関する。
【背景技術】
【０００２】
（１）次世代モバイル通信技術
モバイルインターネットは、ユーザーに拡張現実感、バーチャルリアリティ、超高精細（３Ｄ）ビデオ、モバイル・クラウドなど等より豊富なサービス経験を提供する。。モノのインターネットは、モバイル通信のサービス範囲を拡大し、人間と人間の通信から、人間ともの、ものともののスマートな通信などにより、モバイル通信技術がより多くの産業や分野に浸透していく。膨大な数のデバイスのアクセス及び多様なモノのインターネットサービスは、モバイル通信に新しい技術挑戦であ。
【０００３】
新しい数多くのサービスニーズが絶えずに現れるとともに、今後のモバイル通信システムの性能への要求がより高くなり、例えば、高ピークレート、優れるユーザー体験レート、低遅延、高信頼度、高スペクトラム化率及び高エネルギー消費効率などが要求される。また、より多くのユーザーのアクセス及びサービスタイプをサポートしなければならない。膨大数の多様な端末のアクセス及び異なるサービスタイプをサポートするため、ＵＬ/ＤＬリソースの柔軟な構成は、１つの技術発展方向となる。今後のシステムリソースは、サービスに応じて、異なるサブバンドに分けられ、そして、サブバンドにおいて長さがそれぞれとなるＴＴＩ（Ｔｒａｎｓｍｉｓｓｉｏｎ Ｔｉｍｅ Ｉｎｔｅｒｖａｌ，伝送時間間隔）に分割することにより、多様なサービスニーズを満足させることができる。
【０００４】
（２）従来ＬＴＥ（Ｌｏｎｇ Ｔｅｒｍ Ｅｖｏｌｕｔｉｏｎ）サブフレーム構成
従来ＬＴＥ ＦＤＤ（Ｆｒｅｑｕｅｎｃｙ Ｄｉｖｉｓｉｏｎ Ｄｕａｌ）システムにフレーム構成（ｆｒａｍｅ ｓｔｒｕｃｔｕｒｅ ｔｙｐｅ １，FS１と略称）が用いられ、その構成は図１に示す。ＦＤＤシステムにおいて、アップリンク伝送及びダウンリンク伝送に異なるキャリア周波数が用いられ、アップリンク伝送及びダウンリンク伝送のいずれにも同様なフレーム構成が利用される。キャリアごとに、長さが１０ｍｓである無線フレームに１０個の１ｍｓサブフレームが含まれ、サブフレームごとに、２つの０.５ｍｓスロットに分割される。アップリンク及びダウンリンクデータ伝送のＴＴＩが１ｍｓである。
【０００５】
従来のＬＴＥ ＴＤＤ（Ｔｉｍｅ Ｄｉｖｉｓｉｏｎ Ｄｕｐｌｅｘ，時分割デュプレックス）システムにはフレーム構成タイプ２（ｆｒａｍｅ ｓｔｒｕｃｔｕｒｅ ｔｙｐｅ ２，ＦＳ２と略称）が用いられる。ＴＤＤシステムにおいて、アップリンク及びダウンリンク伝送には、同様な周波数上の異なるサブフレームまたは異なるスロットが用いられる。ＦＳ２場合の各々１０ｍｓの無線フレームは、２つの５ｍｓのハーフフレームより構成され、ハーフフレームごとに、５つの１ｍｓのサブフレームが含まれる。ＦＳ２場合のサブフレームは、ダウンリンクサブフレームと、アップリンクサブフレームと、スペシャルサブフレームとの３種類に分けられ、各スペシャルサブフレームは、ＤｗＰＴＳ（Ｄｏｗｎｌｉｎｋ Ｐｉｌｏｔ Ｔｉｍｅ Ｓｌｏｔ，ダウンリンク伝送スロット）、ＧＰ（Ｇｕａｒｄ Ｐｅｒｉｏｄ）及びＵｐＰＴＳ（Ｕｐｌｉｎｋ Ｐｉｌｏｔ Ｔｉｍｅ Ｓｌｏｔ，アップリンク伝送スロット）から構成される。ここで、ＤｗＰＴＳにおいて、ダウンリンクパイロット、ダウンリンクサービスデータ及びダウンリンク制御シグナリングが伝送されることができ、ＧＰにはいかなる信号も伝送されない。ＵｐＰＴＳにおいて、ランダムアクセス及びＳＲＳ（Ｓｏｕｎｄｉｎｇ ｒｅｆｅｒｅｎｃｅ Ｓｙｍｂｏｌ）のみが伝送され、アップリンクサービスまたはアップリンク制御情報は伝送できない。ハーフフレームごとに、少なくても１つのダウンリンクサブフレーム及び少なくても１つのアップリンクサブフレーム、及び多くて１つのスペシャルサブフレームが含まれる。ＦＳ２によりサポートする７種のＵＬ/ＤＬサブフレーム構成は表１に示す。
【０００６】
【表１】
2019504572.tif 000003
【０００７】
（３）従来ＬＴＥダウンリンクリソース・グリッド
2019504572.tif 000004
【０００８】
（４）従来ＬＴＥシステムのＤＣＩ フォーマット
ＬＴＥシステムにおいて、ＤＣＩ（Ｄｏｗｎｌｉｎｋ Ｃｏｎｔｒｏｌ Ｉｎｆｏｒｍａｔｉｏｎ，ダウンリンク制御情報）は、ＰＤＣＣＨ（Ｐｈｙｓｉｃａｌ Ｄｏｗｎｌｉｎｋ Ｃｏｎｔｒｏｌ Ｃｈａｎｎｅｌ，物理ダウンリンク制御チャネル）により搬送され、ＵＬ/ＤＬのスケジューリング情報及び関連の共通制御情報を伝送する。ＤＣＩに含まれる情報の異なりに応じて、多様なフォーマットが定義されている。例えば、ＤＣＩ ｆｏｒｍａｔ０/４は、アップリンクデータスケジューリングに用いられ、ＤＣＩ ｆｏｒｍａｔ１/1Ａ/1Ｂ/1Ｃ/1Ｄ/2/2Ａ/2Ｂ/2Ｃはダウンリンクデータスケジューリングに用いられる。各フォーマットのＤＣＩは、異なる伝送モードまたは用途に応じて、含まれる情報ビット数が異なり、情報フィールドの意味も異なる。ＤＣＩにはスケジューリングＵＥ（Ｕｓｅｒ Ｅｑｕｉｐｍｅｎｔ，ＵＥ）に必要となる大分の情報が含まれる。例えば、リソース割り当て情報、ＭＣＳ（Ｍｏｄｕｌａｔｉｏｎ ａｎｄ Ｃｏｄｉｎｇ Ｓｃｈｅｍｅ）、ＨＡＲＱ（Ｈｙｂｒｉｄ Ａｕｔｏｍａｔｉｃ Ｒｅｐｅａｔ ｒｅＱｕｅｓｔ） ＩＤ、ＮＤＩ（Ｎｅｗ Ｄａｔａ Ｉｎｄｉｃａｔｏｒ）等。
【０００９】
つまり、従来ＬＴＥシステムにおいて、ＴＴＩ長は１ｍｓに固定され、リソース割り当て情報の最少グリッドはＰＲＢである。現在ＤＣＩはＴＴＩ長が１ｍｓ以内のリソースのみをスケジューリングすることができ、かつ、スケジューリングするリソースの最少グリッドがＰＲＢであり、１ＴＴＩ内、ＰＲＢまたはＲＢＧ（Ｒｅｓｏｕｒｃｅ Ｂｌｏｃｋ Ｇｒｏｕｐ，リソースブロック）を最少グリッドとして、ＵＥのために情報を連続または非連続のリソースを割り当てる。
【００１０】
しかし、今後のサービスタイプにより小さいリソーススケジューリンググリッド及びより柔軟なリソース割り当てが必要とする場合、現在のＤＣＩ フォーマットは、そにニーズに応じられなくなる。
【発明の概要】
【発明が解決しようとする課題】
【００１１】
本発明に係る実施例は、ダウンリンク制御情報の伝送方法及び装置を提供し、可変の送信時間間隔で資源を柔軟に割り当てるシナリオでダウンリンク制御情報を送信可能とする。
【課題を解決するための手段】
【００１２】
本発明に係る実施例のダウンリンク制御情報の伝送方法は、
ダウンリンク制御情報（ＤＣＩ）を伝送し、前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザー）を指示する第３情報フィールドとのうちの１つ以上が含まれ、Ｎは１より大きいか等しい整数である。
【００１３】
１実施形態において、前記ＤＣＩによりスケジューリングされたデータリソースに占有された周波数領域リソースは、
前記ＤＣＩによりスケジューリングされたデータリソースに占有されたリソースブロック数、または、
前記ＤＣＩによりスケジューリングされたデータリソースに占有されたリソースブロック数及びリソース開始位置、または、
前記ＤＣＩによりスケジューリングされたデータリソースに占有されたリソース・エレメント数、または、
前記ＤＣＩによりスケジューリングされたデータリソースに占有されたリソース・エレメント数及びリソース・エレメントの開始インデックス、または、
前記ＤＣＩによりスケジューリングされたデータリソースに占有されたサブキャリア数、または、
前記ＤＣＩによりスケジューリングされたデータリソースに占有されたサブキャリア数及び開始インデックスを含む。
【００１４】
１実施形態において、前記ＤＣＩによりスケジューリングされたデータリソースに占有された時間領域リソースは、
前記ＤＣＩによりスケジューリングされたデータリソースに占有されたシンボル数、または、
前記ＤＣＩによりスケジューリングされたデータリソースに占有されたシンボル数及び開始シンボルインデックス、または、
前記ＤＣＩによりスケジューリングされたデータ伝送に用いられる伝送時間間隔（ＴＴＩ）長、または、
前記ＤＣＩによりスケジューリングされたデータ伝送に用いられる伝送時間間隔（ＴＴＩ）長及びデータ伝送の時間領域の開始位置とを含む。
【００１５】
１実施形態において、前記第３情報フィールドは、前記スケジューリングされたＮ個のユーザーのユーザー識別子を示す。
【００１６】
１実施形態において、前記ＤＣＩには、
１つまたは１グループのＭＣＳ（Ｍｏｄｕｌａｔｉｏｎ ａｎｄ Ｃｏｄｉｎｇ Ｓｃｈｅｍｅ）を示す第４情報フィールドと、
１つまたは１グループの多入力多出力チャネル情報を示す第５情報フィールドと、
１つまたは１グループのＨＡＲＱプロセス識別子を示す第６情報フィールドと、
１つまたは１グループのアップリンクＨＡＲＱのACK/ NACK情報を示す第７情報フィールドと、
伝送タイプ及び/またはサービスタイプを示す第８情報フィールドとのうちの１つまたはそれらの任意の組み合わせが含まれる。
【００１７】
１実施形態において、前記第７情報フィールドは、アップリンク伝送をスケジューリングするためのＤＣＩに含まれる。
【００１８】
１実施形態において、前記ＤＣＩには第９情報フィールドがさらに含まれ、前記第９情報フィールドは、スケジューリングされた１グループのユーザーが前記ＤＣＩ内の前記第１情報フィールド及び前記第２情報フィールドにより示される時間・周波数リソース領域を等しく割り当てられているかどうかを示し、前記等しく割り当てられることは、時間領域において等しく割り当てられ、または、周波数領域において等しく割り当てられることを含む。
【００１９】
１実施形態において、ＤＣＩを伝送する前、基地局は前記Ｎ個のユーザーのため伝送リソースを割り当てる。
【００２０】
１実施形態において、ＤＣＩを伝送した後、基地局は、割り当てられた伝送リソースに基づき、前記Ｎ個のユーザーにデータを伝送する。
【００２１】
本発明にかかる他の実施例によるダウンリンク制御情報の伝送方法は、
ダウンリンク制御情報（ＤＣＩ）を受信し、前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザー）を指示する第３情報フィールドとのうちの１つ以上が含まれ、Ｎは１より大きいか等しい整数である。
【００２２】
１実施形態において、前記ＤＣＩによりスケジューリングされたデータリソースに占有された周波数領域リソースは、
前記ＤＣＩによりスケジューリングされたデータリソースに占有されたリソースブロック数、または、
前記ＤＣＩによりスケジューリングされたデータリソースに占有されたリソースブロック数及びリソース開始位置、または、
前記ＤＣＩによりスケジューリングされたデータリソースに占有されたリソース・エレメント数、または、
前記ＤＣＩによりスケジューリングされたデータリソースに占有されたリソース・エレメント数及びリソース・エレメントの開始インデックス、または、
前記ＤＣＩによりスケジューリングされたデータリソースに占有されたサブキャリア数、または、
前記ＤＣＩによりスケジューリングされたデータリソースに占有されたサブキャリア数及び開始インデックスを含む。
【００２３】
１実施形態において、前記ＤＣＩによりスケジューリングされたデータリソースに占有された時間領域リソースは、
前記ＤＣＩによりスケジューリングされたデータリソースに占有されたシンボル数、または、
前記ＤＣＩによりスケジューリングされたデータリソースに占有されたシンボル数及び開始シンボルインデックス、または、
前記ＤＣＩによりスケジューリングされたデータ伝送に用いられる伝送時間間隔（ＴＴＩ）長、または、
前記ＤＣＩによりスケジューリングされたデータ伝送に用いられる伝送時間間隔（ＴＴＩ）長及びデータ伝送の時間領域の開始位置を含む。
【００２４】
１実施形態において、前記第３情報フィールドは、前記スケジューリングされたＮ個のユーザーのユーザー識別子を示す。
【００２５】
１実施形態において、前記ＤＣＩには、
１つまたは１グループのＭＣＳ（Ｍｏｄｕｌａｔｉｏｎ ａｎｄ Ｃｏｄｉｎｇ Ｓｃｈｅｍｅ）を示す第４情報フィールドと、
１つまたは１グループの多入力多出力チャネル情報を示す第５情報フィールドと、
１つまたは１グループのＨＡＲＱプロセス識別子を示す第６情報フィールドと、
１つまたは１グループのアップリンクＨＡＲＱのACK/ NACK情報を示す第７情報フィールドと、
伝送タイプ及び/またはサービスタイプを示す第８情報フィールドとのうちの１つまたはそれらの任意の組み合わせが含まれる。
【００２６】
前記第７情報フィールドは、前記アップリンク伝送をスケジューリングするＤＣＩに含まれる。
【００２７】
１実施形態において、前記ＤＣＩには第９情報フィールドがさらに含まれ、前記第９情報フィールドは、スケジューリングされた１グループのユーザーが前記ＤＣＩ内の前記第１情報フィールド及び前記第２情報フィールドにより示される時間・周波数リソース領域を等しく割り当てられているかどうかを示し、前記等しく割り当てられることは、時間領域において等しく割り当てられ、または、周波数領域において等しく割り当てられることを含む。
【００２８】
１実施形態において、ダウンリンク制御情報を受信した後、基地局から割り当てられた伝送リソースにおいてデータを送信するか受信する。
【００２９】
本発明に係る実施例の基地局は、ダウンリンク制御情報（ＤＣＩ）を伝送する送信モジュールを備え、前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースサイズを示す第２情報フィールドと、スケジューリングされたＮ個のユーザー）を指示する第３情報フィールドとのうちの１つ以上が含まれ、Ｎは１より大きいか等しい整数である。
【００３０】
１実施形態において、前記ＤＣＩによりスケジューリングされたデータリソースに占有された周波数領域リソースは、
前記ＤＣＩによりスケジューリングされたデータリソースに占有されたリソースブロック数、または、
前記ＤＣＩによりスケジューリングされたデータリソースに占有されたリソースブロック数及びリソース開始位置、または、
前記ＤＣＩによりスケジューリングされたデータリソースに占有されたリソース・エレメント数、または、
前記ＤＣＩによりスケジューリングされたデータリソースに占有されたリソース・エレメント数及びリソース・エレメントの開始インデックス、または、
前記ＤＣＩによりスケジューリングされたデータリソースに占有されたサブキャリア数、または、
前記ＤＣＩによりスケジューリングされたデータリソースに占有されたサブキャリア数及び開始インデックスを含む。
【００３１】
１実施形態において、前記ＤＣＩによりスケジューリングされたデータリソースに占有された時間領域リソースは、
前記ＤＣＩによりスケジューリングされたデータリソースに占有されたシンボル数、または、
前記ＤＣＩによりスケジューリングされたデータリソースに占有されたシンボル数及び開始シンボルインデックス、または、
前記ＤＣＩによりスケジューリングされたデータ伝送に用いられる伝送時間間隔（ＴＴＩ）長、または、
前記ＤＣＩによりスケジューリングされたデータ伝送に用いられる伝送時間間隔（ＴＴＩ）長及びデータ伝送の時間領域の開始位置を含む。
【００３２】
１実施形態において、前記第３情報フィールドは、前記スケジューリングされたＮ個のユーザーのユーザー識別子を示す。
【００３３】
１実施形態において、前記ＤＣＩには、
１つまたは１グループのＭＣＳ（Ｍｏｄｕｌａｔｉｏｎ ａｎｄ Ｃｏｄｉｎｇ Ｓｃｈｅｍｅ）を示す第４情報フィールドと、
１つまたは１グループの多入力多出力チャネル情報を示す第５情報フィールドと、
１つまたは１グループのＨＡＲＱプロセス識別子を示す第６情報フィールドと、
１つまたは１グループのアップリンクＨＡＲＱのACK/ NACK情報を示す第７情報フィールドとのうちの１つまたはそれらの任意の組み合わせが含まれる。
【００３４】
前記第７情報フィールドは、アップリンク伝送をスケジューリングするためのＤＣＩに含まれ、
伝送タイプ及び/またはサービスタイプを示す第８情報フィールド。
【００３５】
前記ＤＣＩには第９情報フィールドがさらに含まれ、前記第９情報フィールドは、スケジューリングされた１グループのユーザーが前記ＤＣＩ内の前記第１情報フィールド及び前記第２情報フィールドにより示される時間・周波数リソース領域を等しく割り当てられているかどうかを示し、前記等しく割り当てられることは、時間領域において等しく割り当てられ、または、周波数領域において等しく割り当てられることを含む。
【００３６】
１実施形態において、ダウンリンク制御情報を伝送する前、前記Ｎ個のユーザーのために情報伝送リソースを割り当てる割り当てモジュールをさらに備える。
【００３７】
１実施形態において、ダウンリンク制御情報を伝送した後、割り当てられた伝送リソースにおいて前記Ｎ個のユーザーにデータを伝送する伝送モジュールをさらに備える。
【００３８】
本発明に係る実施例の端末は、ダウンリンク制御情報（ＤＣＩ）を受信を受信モジュールを備え、前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザー）を指示する第３情報フィールドとのうちの１つ以上が含まれ、Ｎは１より大きいか等しい整数である。
【００３９】
１実施形態において、前記ＤＣＩによりスケジューリングされたデータリソースに占有された周波数領域リソースは、
前記ＤＣＩによりスケジューリングされたデータリソースに占有されたリソースブロック数、または、
前記ＤＣＩによりスケジューリングされたデータリソースに占有されたリソースブロック数及びリソース開始位置、または、
前記ＤＣＩによりスケジューリングされたデータリソースに占有されたリソース・エレメント数、または、
前記ＤＣＩによりスケジューリングされたデータリソースに占有されたリソース・エレメント数及びリソース・エレメントの開始インデックス、または、
前記ＤＣＩによりスケジューリングされたデータリソースに占有されたサブキャリア数、または、
前記ＤＣＩによりスケジューリングされたデータリソースに占有されたサブキャリア数及び開始インデックスを含む。
【００４０】
１実施形態において、前記ＤＣＩによりスケジューリングされたデータリソースに占有された時間領域リソースは、
前記ＤＣＩによりスケジューリングされたデータリソースに占有されたシンボル数、または、
前記ＤＣＩによりスケジューリングされたデータリソースに占有されたシンボル数及び開始シンボルインデックス、または、
前記ＤＣＩによりスケジューリングされたデータ伝送に用いられる伝送時間間隔（ＴＴＩ）長、または、
前記ＤＣＩによりスケジューリングされたデータ伝送に用いられる伝送時間間隔（ＴＴＩ）長及びデータ伝送の時間領域の開始位置を含む。
【００４１】
１実施形態において、前記第３情報フィールドは、前記スケジューリングされたＮ個のユーザーのユーザー識別子を示す。
【００４２】
１実施形態において、前記ＤＣＩには、
１つまたは１グループのＭＣＳ（Ｍｏｄｕｌａｔｉｏｎ ａｎｄ Ｃｏｄｉｎｇ Ｓｃｈｅｍｅ）を示す第４情報フィールドと、
１つまたは１グループの多入力多出力チャネル情報を示す第５情報フィールドと、
１つまたは１グループのＨＡＲＱプロセス識別子を示す第６情報フィールドと、
１つまたは１グループのアップリンクＨＡＲＱのＡＣＫ/ＮＡＣＫ情報を示す第７情報フィールドと、
伝送タイプ及び/またはサービスタイプを示す第８情報フィールドとのうちの１つまたはそれらの任意の組み合わせが含まれる。
【００４３】
前記第７情報フィールドは、アップリンク伝送をスケジューリングするためのＤＣＩに含まれる。
【００４４】
１実施形態において、前記ＤＣＩには第９情報フィールドがさらに含まれ、前記第９情報フィールドは、スケジューリングされた１グループのユーザーが前記ＤＣＩ内の前記第１情報フィールド及び前記第２情報フィールドにより示される時間・周波数リソース領域を等しく割り当てられているかどうかを示し、前記等しく割り当てられることは、時間領域において等しく割り当てられ、または、周波数領域において等しく割り当てられることを含む。
【００４５】
１実施形態において、ＤＣＩを受信した後、基地局から割り当てられた伝送リソースにおいてデータを送信するか受信する伝送モジュールをさらに備える。
【００４６】
本発明他の実施例の基地局は、プロセッサと、メモリと、送受信機と、バスインターフェースとを備え、
前記プロセッサは、メモリに格納されたプログラムを読み出して、ダウンリンク制御情報（ＤＣＩ）を伝送し、前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザー）を指示する第３情報フィールドとのうちの１つ以上が含まれ、Ｎは１より大きいか等しい整数である。
【００４７】
本発明他の実施例の端末は、プロセッサと、メモリと、送受信機と、バスインターフェースとを備え、
前記プロセッサは、メモリに格納されたプログラムを読み出して、ダウンリンク制御情報（ＤＣＩ）を受信し、前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザー）を指示する第３情報フィールドとのうちの１つ以上が含まれ、Ｎは１より大きいか等しい整数である。
【００４８】
本発明の上述の実施例において、伝送するダウンリンク制御情報には、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザーを示す第３情報フィールドとうちの少なくとも１つ以上が含まれる。ダウンリンク制御情報により、ＤＣＩがスケジューリングするデータリソース（例えばリソース・エレメントまたはサブキャリア）と、ＤＣＩがスケジューリングするデータリソースに占有された時間領域リソース（時間領域において占有されたシンボル）とのうちの少なくとも１つ以上を示すことができるため、可変伝送時間間隔の場合に、リソースを柔軟に割り当てることにより、ダウンリンク制御情報を伝送することができるようになる。
【図面の簡単な説明】
【００４９】
【図１】背景技術におけるＬＴＥ ＦＤＤシステムのフレーム構成図である。
【図２】背景技術におけるＬＴＥ ＴＤＤシステムのフレーム構成図である。
【図３】背景技術におけるＬＴＥシステムのリソースを示す図である。
【図４】本発明に係る実施例が提供するネットワーク側のダウンリンク制御情報の伝送フローチャートである。
【図５】本発明に係る実施例提供的端末側のダウンリンク制御情報伝送の伝送フローチャートである。
【図６ａ】本発明に係る実施例において１ＵＥをスケジューリングする場合のＤＣＩ伝送を示す図である。
【図６ｂ】本発明に係る実施例において１ＵＥをスケジューリングする場合のＤＣＩ伝送を示す図である。
【図７ａ】本発明に係る実施例において１グループのＵＥをスケジューリングする場合のＤＣＩ伝送を示す図である。
【図７ｂ】本発明に係る実施例において１グループのＵＥをスケジューリングする場合のＤＣＩ伝送を示す図である。
【図８ａ】本発明に係る実施例において、１グループのＵＥをスケジューリングする場合のＤＣＩ伝送を示す図である。
【図８ｂ】本発明に係る実施例において、１グループのＵＥをスケジューリングする場合のＤＣＩ伝送を示す図である。
【図９】本発明に係る１実施例が提供する基地局の構造図である。
【図１０】本発明に係る１実施例が提供する端末の構造図である。
【図１１】本発明の他の実施例が提供する基地局の構造図である。
【図１２】本発明の他の実施例が提供する端末の構造図である。
【発明を実施するための形態】
【００５０】
モバイル技術の発展につれて、今後のモバイル通信システムがより短いネットワーク遅延を提供し、かつ、より豊富なサービスタイプをサポートする必要がある。サービスに対する要求に応じてＴＴＩ長及びＴＴＩの間に占有されたリソース（例えば、幾つかのＲＵまたはＲＥを占有し、ＲＵは、Ｒｅｓｏｕｒｃｅ ｕｎｉｔの略称であり、１ＲＵは周波数領域において１つまたは複数のサブキャリアを占有し、時間領域において１つまたは複数のシンボルを占有する）を動的に設定するのは、技術発展の動向になる。本発明に係る実施例は、このような動的なリソース割り当て情報シナリオにおいて、可変ＴＴＩの場合、リソースを柔軟に設定することにより、ＤＣＩを伝送を解決案を提案する。
【００５１】
本発明に係る実施例において、基地局は、ＬＴＥシステムにおけるｅＮＢ（Ｅｖｏｌｕｔｉｏｎａｌ Ｎｏｄｅ Ｂ， ｅＮＢまたはｅ−ＮｏｄｅＢと略称）、マクロｅＮＢ、マイクロｅＮＢ（ｓｍａｌｌ ｅＮＢとも呼ばれる）、ピコｅＮＢ、ＡＰ（Ａｃｃｅｓｓ Ｐｏｉｎｔ）またはＴＰ（Ｔｒａｎｓｍｉｓｓｉｏｎ Ｐｏｉｎｔ）及び次世代無線通信システムの基地局等であることができるし、また、基地局はセルやセクターのような概念として使うこともでき、本発明に係る実施例には、これらに対して限定しない。
【００５２】
本発明に係る実施例において、端末は、無線通信機能を有するハンドへルドデバイス、車載装置、ウェアラブル装置、コンピューティング装置、または無線モデムに接続された別の処理装置、様々なUE、ＭＳ（Ｍｏｂｉｌｅ ｓｔａｔｉｏｎ，移動局）、端末（ｔｅｒｍｉｎａｌ）、ターミナル機器（Ｔｅｒｍｉｎａｌ Ｅｑｕｉｐｍｅｎｔ）等であることができるが、本発明に係る実施例にはこれらに対して限定しない。
【００５３】
本発明に係る実施例において、ＬＴＥは、３ＧＰＰ（３ｒｄ Ｇｅｎｅｒａｔｉｏｎ Ｐａｒｔｎｅｒｓｈｉｐ Ｐｒｏｊｅｃｔ）リリース８（Ｒｅｌ−８またはＲ８）、リリース９（Ｒｅｌ−９またはＲ９）、リリース１０（Ｒｅｌ−１０またはＲ１０）リリース１０及びその以後のリリースに対応することができ、ＬＴＥネットワーク構成は、マクロ・セルラー、マイクロ・セルラー、ピコ・セルラー、フェムト・ネットワーク、リピーターおよびフォワーディング・ノードを含むネットワーク、または様々なハイブリッド・ネットワーク構造（マクロ・セルラー、マイクロセルラー、ピコセルラー、フェムトネットワーク、および中継器および転送ノードうちの1つまたは複数により構成される）等であることができるが、本発明に係る実施例にはこれらに対して限定しない。
【００５４】
以下、図面を参照しながら本発明に係る実施例を詳しく説明する。
【００５５】
図４は本発明に係る実施例が提供するネットワーク側におけるＤＣＩ伝送のフローチャートであり、基地局より執行される。
【００５６】
図に示すように、当該フローチャートは以下のステップを備える。
【００５７】
ステップ４０２において、ＤＣＩを伝送する。前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザー（例えば、ＵＥ、以下も同様）を指示する第３情報フィールドとのうちの少なくとも１つが含まれ、Ｎは１より大きいか等しい整数である。
【００５８】
具体的に、ＤＣＩには、前記ＤＣＩによりスケジューリングされたデータリソースに占有された周波数領域リソースサイズを示す第１情報フィールドが含まれる。例えば、当該情報フィールドは、占有されたリソースサイズ、または、占有されたリソース位置及びリソースサイズ等を示すことができる。また、前記ＤＣＩによりスケジューリングされたデータリソースに占有された時間領域リソースサイズを示す第２情報フィールドも含まれる。
【００５９】
前記第１情報フィールドは、ＤＣＩによりスケジューリングされるデータリソースに占有されたＲＢ数、または、前記ＤＣＩによりスケジューリングされたデータリソースに占有されたリソース・エレメント数、または、前記ＤＣＩによりスケジューリングされたデータリソースに占有されたサブキャリア数を示すことができる。
【００６０】
前記リソース・エレメントはＲＵであることができ、１ＲＵは、周波数領域においてＸ１個のサブキャリアを占有し、時間領域においてX２個のシンボルのリソース領域を占有する。Ｘ１及びX２は１より大きいか等しい整数であり、その値は事前に約定されてもよく、高位層より設定されてもよい。前記リソース・エレメントはＲＥであってもよい。１ＲＥは、周波数領域において１サブキャリアを占有し、時間領域において１シンボルを占有するリソース領域である。
【００６１】
前記シンボルは、ＯＦＤＭシンボルであることができる。
【００６２】
具体的に、前記第２指示フィールドは、ＤＣＩによりスケジューリングされるデータリソースに占有されたシンボル数、または、ＤＣＩによりスケジューリングされるデータリソースに占有されたＴＴＩ長を示すことができる。
【００６３】
具体的に、前記第３情報フィールドはスケジューリングされた１ＵＥまたは１グループのＵＥ  ＩＤを示すことができる。ＵＥをスケジューリングしてアップリンク伝送を行う場合、前記１つまたは１グループのＵＥ ＩＤに対応するＵＥは、データを送信すべきＵＥである。ＵＥをスケジューリングしてダウンリンク伝送を行う場合、前記１つまたは１グループのＵＥ ＩＤに対応するＵＥは、データを受信すべきＵＥである。
【００６４】
さらに、前記ＤＣＩには、以下の第４情報フィールドないし第８情報フィールドのうちの１つまたはこれらの任意の組み合わせが含まれる。
【００６５】
- 第４情報フィールドはＭＣＳを示す。
【００６６】
１実施形態において、第４指示フィールドには１つまたは１グループのＭＣＳ指示情報が含まれる。１例として、スケジューリングされたＵＥ数が１であれば（即ち、第３情報フィールドに１ＵＥ ＩＤが含まれる）、第４情報フィールドに１ＭＣＳ指示情報が含まれ、前記ＵＥ ＩＤに対応するＵＥに前記ＭＳＣに従ってデータを送信するか受信するように指示する。他の例として、スケジューリングされたＵＥ数がＭであれば（Ｍは１より大きい整数である）、第４情報フィールドには１ＭＣＳ指示情報がふくまれ、前記Ｍ個のＵＥ ＩＤに対応するＵＥに前記ＭＳＣに従ってデータを送信するか受信するように指示する。他の例として、スケジューリングされたＵＥ数がＭであれば（Ｍは１より大きい整数である）、第４情報フィールドにＭ個のＭＣＳ指示情報が含まれ、各々ＭＣＳ指示情報は、１ＵＥ ＩＤに対応するＵＥに前記ＭＳＣに従ってデータを送信するか受信するように指示する。
【００６７】
- 第５情報フィールドは、ＭＩＭＯ（Ｍｕｌｔｉ−Ｉｎｐｕｔ Ｍｕｌｔｉ−Ｏｕｔｐｕｔ，多入力多出力）関連情報を示す。前記ＭＩＭＯ関連情報はＭＩＭＯチャネル情報（ＭＩＭＯ ｃｈａｎｎｅｌ ｉｎｆｏｒｍａｔｉｏｎ）を含む。具体的に、ＭＩＭＯチャネル情報には、伝送するTB（Ｔｒａｎｓｍｉｓｓｉｏｎ Ｂｌｏｃｋ，伝送ブロック）数、プリコーディングマトリックスインデックス等が含まれる。
【００６８】
１実施形態において、前記第５情報フィールドに１つまたは１グループのＭＩＭＯ関連情報が含まれる。１例として、スケジューリングされたＵＥ数が１であれば（即ち、ち、第３情報フィールドに１ＵＥ ＩＤが含まれる），第４情報フィールドに１ＭＩＭＯチャネル情報が含まれ、前記ＵＥ ＩＤに対応するＵＥに前記ＭＩＭＯチャネル情報に従ってデータを送信するか受信するように指示する。他の例として、スケジューリングされたＵＥ数がＭであれば（Ｍは１より大きい整数である）、第４情報フィールドに１ＭＩＭＯチャネル情報が含まれ、前記Ｍ個のＵＥ ＩＤに対応するＵＥに前記ＭＩＭＯチャネル情報に従ってデータを送信するか受信するように指示する。他の例として、スケジューリングされたＵＥ数がＭであれば（Ｍは１より大きい整数である）、第４情報フィールドにＭ個のＭＩＭＯチャネル情報が含まれ、各々ＭＩＭＯチャネル情報は、１ＵＥ ＩＤに対応するＵＥに、前記ＭＩＭＯチャネル情報に従ってデータを送信するか受信するように指示する。
【００６９】
- 第６情報フィールドはＨＡＲＱ プロセス識別子（ＨＡＲＱ ｐｒｏｃｅｓｓ ＩＤ）を示す。端末がＨＡＲＱ ＡＣＫ/ＮＡＣＫフィードバックを行うともに、割り当て情報を前記端末のＨＡＲＱ ｐｒｏｃｅｓｓ ＩＤにフィードバックし、こうして、基地局が前記ＨＡＲＱ ＡＣＫ/ＮＡＣＫフィードバック情報の所属端末を識別することができる。
【００７０】
１実施形態において、前記第６情報フィールドに１つまたは１グループのＨＡＲＱ プロセス識別子指示情報が含まれる。１例として、スケジューリングされたＵＥ数が１であれば（即ち、ち、第３情報フィールドに１ＵＥ ＩＤが含まれる）、第４情報フィールドに１ＨＡＲＱ ｐｒｏｃｅｓｓ ＩＤ指示情報が含まれ、前記ＵＥ ＩＤに対応するＵＥに前記ＨＡＲＱ ｐｒｏｃｅｓｓ ＩＤに従ってＨＡＲＱ ＡＣＫ/ＮＡＣＫフィードバック及びデータ伝送を行うように指示する。他の例として、スケジューリングされたＵＥ数がＭであれば（Ｍは１より大きい整数である）、第４情報フィールドに１ＨＡＲＱ ｐｒｏｃｅｓｓ ＩＤ指示情報が含まれ、前記Ｍ個のＵＥ ＩＤに対応するＵＥに前記ＨＡＲＱ ｐｒｏｃｅｓｓ ＩＤに従ってＨＡＲＱ ＡＣＫ/ＮＡＣＫフィードバック及びデータ伝送を行うように指示する。他の例として、スケジューリングされたＵＥ数がＭであれば（Ｍは１より大きい整数である）、第４情報フィールドにＭ個のＨＡＲＱ ｐｒｏｃｅｓｓ ＩＤ指示情報が含まれ、各々ＨＡＲＱ ｐｒｏｃｅｓｓ ＩＤ指示情報は、１ＵＥ ＩＤに対応するＵＥに前記ＨＡＲＱ ｐｒｏｃｅｓｓ ＩＤに従ってＨＡＲＱ ＡＣＫ/ＮＡＣＫフィードバック及びデータ伝送を行うように指示する。
【００７１】
- 第７情報フィールドはアップリンクＨＡＲＱのＡＣＫ/ＮＡＣＫ（確認/非確認）情報を示す。
【００７２】
１実施形態において、前記第７情報フィールドに１つまたは１グループのＡＣＫ/ＮＡＣＫ指示情報が含まれる。１例として、スケジューリングされたＵＥ数が１であれば（即ち、ち、第３情報フィールドに１ＵＥ ＩＤが含まれる）、第７情報フィールドに１ＡＣＫ/ＮＡＣＫ情報が含まれ、前記ＵＥ ＩＤに対応するＵＥに前記ＡＣＫ/ＮＡＣＫ情報に従ってＵＬ ＨＡＲＱを行うように指示する。他の例として、スケジューリングされたＵＥ数がＭであれば（Ｍは１より大きい整数である）、第７情報フィールドに１ＡＣＫ/ＮＡＣＫ情報が含まれ、前記Ｍ個のＵＥ ＩＤに対応するＵＥに前記ＡＣＫ/ＮＡＣＫ情報に従ってＵＬ ＨＡＲＱを行うように指示する。他の例として、スケジューリングされたＵＥ数がＭであれば（Ｍは１より大きい整数である）、第７情報フィールドにＭ個のＡＣＫ/ＮＡＣＫ情報が含まれ、各々ＡＣＫ/ＮＡＣＫ情報は、１ＵＥ ＩＤに対応するＵＥに前記ＡＣＫ/ＮＡＣＫ情報に従ってＵＬ ＨＡＲＱを行うように指示する。
【００７３】
好ましくは、前記第７情報フィールドはアップリンク伝送をスケジューリングするＤＣＩに存在する。
【００７４】
- 第８情報フィールドは、伝送タイプ及び/またはサービスタイプを示す。ここで、伝送タイプは、ユニキャスト、マルチキャスト、ブロードキャストであることができるが、これらにに限定されない。サービスタイプは、ユニキャスト（ｕｎｉｃａｓｔ）、ページング（Ｐａｇｉｎｇ）、ＳＩＢ（Ｓｙｓｔｅｍ Ｉｎｆｏｒｍａｔｉｏｎ Ｂｌｏｃｋ，システム情報ブロック）、ＲＡＲ（Ｒａｎｄｏｍ Ａｃｃｅｓｓ Ｒｅｓｐｏｎｓｅ）、ＭＢＭＳ（Ｍｕｌｔｉｍｅｄｉａ Ｂｒｏａｄｃａｓｔ Ｍｕｌｔｉｃａｓｔ Ｓｅｒｖｉｃｅ）であることができるが、これらにに限定されない。
【００７５】
さらに、上述のＤＣＩの上、第９情報フィールドがさらに含まれる。前記第９情報フィールドは、スケジューリングされた１グループのユーザーが前記ＤＣＩ内の第１情報フィールド及び第２情報フィールドにより示される時間・周波数リソース領域を等しく割り当てられているかどうかを示す。前記等しく割り当てられることは、時間領域において等しく割り当てられ、または、周波数領域において等しく割り当てられることを含む。勿論、ＤＣＩに前記第９情報フィールドが含まれなくてもよい。スケジューリングされた１グループのユーザーは、事前約定に従って、前記ＤＣＩ内の第１情報フィールド及び第２情報フィールドに示される時間・周波数リソース領域を等しく割り当てられているか否かを決定する。または、事前に約定したルールに従って、前記ＤＣＩ内の第１情報フィールド及び第２情報フィールドに示される時間・周波数リソース領域を割り当てられる。
【００７６】
実施の場合、スケジューリングされた１グループのＵＥのチャネル状況が類似すれば、一部の情報フィールド（たとえばＭＣＳレベル）を共有することができ、当該グループのＵＥは、ＤＣＩ内の第９情報フィールドに含まれる等しく割り当てられる識別子により、第１情報フィール１情報フィールド及び第２情報フィールドに示される数リソース領域を等しく割り当てられ、ＤＣＩに示されたＭＣＳレベル等共有情報を共有することができ、オーバヘッド（ｏｖｅｒｈｅａｄ）を減らすことができる。一般的に、スケジューリングされた１グループのＵＥのチャネル条件に差がついてあれば、各々情報フィールドは共有できず（例えばＭＣＳレベル、ＭＩＭＯチャネル情報等を示す情報フィールド）、割り当てられた時間・周波数リソースも異なる恐れがある。この場合、第９情報フィールドは、存在する必要がない。
【００７７】
上記ＤＣＩに第１情報フィールドないし第３情報フィールドのうちの少なくとも１つが含まれ、さらに、第４情報フィールドないし第９情報フィールドのうちの少なくとも１つが含まれることもできる。
【００７８】
上記ＤＣＩ内の各情報フィールドは、事前に約定した順でＤＣＩにおいて排列することができるが、本発明に係る実施例では、情報フィールドの順番について限定しない。
【００７９】
ここで、基地局は、ＰＤＣＣＨにおいて前記ＤＣＩを伝送することができる。
【００８０】
さらに、ステップ４０２の前、以下のステップを備える。
【００８１】
ステップ４０１において、基地局は前記Ｎ個のユーザーのため伝送リソースを割り当てる。
【００８２】
ここで、基地局は、サービス需要に応じてＴＴＩ長及びＴＴＩの間にデータ伝送ための時間・周波数リソースを動的に設定することができ、当該時間・周波数リソースは幾つかのＲＵまたは幾つかのＲＥを含むことができる。
【００８３】
さらに、ステップ４０２の後、以下のステップを備える。
【００８４】
ステップ４０３において、基地局は、割り当てられた伝送リソースに基づき、前記Ｎ個のユーザーにデータを伝送する。
【００８５】
ここで、ＵＥをスケジューリングしてアップリンク伝送を行う場合、基地局は、前記１つまたは１グループのＵＥ ＩＤに対応するＵＥからのデータを受信する。ＵＥをスケジューリングしてダウンリンク伝送を行う場合、基地局は、前記１つまたは１グループのＵＥ ＩＤに対応するＵＥへデータを送信する。
【００８６】
要するに、伝送するＤＣＩには以下の情報フィールドのうちの１つ以上が含まれる。前記ＤＣＩによりスケジューリングされたデータリソースに占有された周波数領域リソースサイズを示す第１情報フィールド、前記ＤＣＩによりスケジューリングされたデータリソースに占有された時間領域リソースサイズを示す第２情報フィールド、スケジューリングされたＮ個のユーザーを示す第３情報フィールド。ダウンリンク制御情報により、伝送リソースの周波数領域において占有されたリソース・エレメントまたはサブキャリア、時間領域において占有されたシンボルを示すことができるため、可変伝送時間間隔の場合に、リソースを柔軟に割り当てることにより、ダウンリンク制御情報を伝送することができるようになる。
【００８７】
図５は本発明に係る実施例の端末側でのＤＣＩ伝送フローチャートであり、ＵＥより執行される。
【００８８】
図に示すように、当該フローチャートは以下のステップを含む。
【００８９】
ステップ５０１において、 ＤＣＩを受信する。前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザー（例えば、ＵＥ、以下も同様である）を指示する第３情報フィールドとのうちの少なくとも１つが含まれ、Ｎは１より大きいか等しい整数である。
【００９０】
具体的に、ＤＣＩには、前記ＤＣＩによりスケジューリングされたデータリソースに占有された周波数領域リソースサイズを示す第１情報フィールド（例えば、前期情報フィールドは、占有されたリソースサイズ、または、占有されたリソース位置及びリソースサイズ等を示すことができる）と、前記ＤＣＩによりスケジューリングされたデータリソースに占有された時間領域リソースサイズを示す第２情報フィールドとが含まれることができる。
【００９１】
さらに、ステップ４０１の後、以下のステップを備える。
【００９２】
ステップ５０２において、基地局により割り当てられた伝送リソースに基づき、データを伝送する。
【００９３】
ここで、基地局がＵＥをスケジューリングしてダウンリンク伝送を行う場合、ＵＥは割り当てられた伝送リソースにおいて基地局からデータを受信する。基地局がＵＥをスケジューリングしてアップリンク伝送を行う場合、ＵＥは、割り当てられた伝送リソースにおいて基地局にデータを送信する。
【００９４】
図５のフローチャートにおいて、ＤＣＩに含まれる情報フィールド及び関連記載は、前の実施例を参照すればよいため、繰り返して説明しない。
【００９５】
上記の説明からわかるように、伝送するＤＣＩには、少なくとも以下の情報フィールドが含まれる。割り当てられた伝送リソースの、周波数領域において占有されたリソース・エレメントまたはサブキャリアを示す第１情報フィールド、前記ＤＣＩによりスケジューリングされたデータリソースに占有された周波数領域リソースサイズを示す第２情報フィールド、前記ＤＣＩによりスケジューリングされたデータリソースに占有された時間領域リソースサイズを示す第３情報フィールド。ダウンリンク制御情報により、伝送リソースの、周波数領域において占有されたリソース・エレメントまたはサブキャリア、時間領域において占有されたシンボルを示すことができるため、可変伝送時間間隔の場合に、リソースを柔軟に割り当てることにより、ダウンリンク制御情報を伝送することができるようになる。
【００９６】
上記実施例をより明瞭にするため、以下、いくつかの具体的なアプリケーションシナリオを挙げて説明する。
【００９７】
シナリオ１
当該シナリオにおいて、基地局が、１ＵＥのみをスケジューリングする場合、前記ＵＥへ割り当てられた伝送リソースが周波数領域において占有されたＲＵ数はＬ１であり、時間領域において占有されたＯＦＤＭシンボル数はＬ２である。当該シナリオにおいて、ＤＣＩの情報フィールド構成及びリソース指示は図６ａに示す。
【００９８】
ネットワーク側において、基地局は、１サブフレームのダウンリンクＴＴＩのＰＤＣＣＨにおいてＤＣＩを伝送し、前記ＤＣＩにより、スケジューリングされたＵＥ及び前記ＵＥのために前記ダウンリンクＴＴＩおいて割り当てられた伝送リソースを示す。ここで、ＤＣＩの第１情報フィールドはＬ１个ＲＵを示し、第２情報フィールドは、Ｌ２個のＯＦＤＭシンボルを示し、第３情報フィールドは、スケジューリングされたＵＥのＩＤを示し、第４情報フィールドは前記ＵＥ使用的変調方式及びコーディングレベルを示し、第５情報フィールドは前記ＵＥのチャネル情報を示し、第６情報フィールドは、前記ＵＥの現在ＨＡＲＱ ｐｒｏｃｅｓｓ ＩＤを示し、第７情報フィールドはＵＬ ＨＡＲＱフィードバックを示す。
【００９９】
端末側において、ＵＥが前記ＤＣＩを受信した後、第３情報フィールドに含まれるＵＥ ＩＤに基づき前記ＵＥ ＩＤが前記ＵＥ自分のＵＥ ＩＤと同様であると判断すれば、前記ＵＥがスケジューリングされたと判定し、第１情報フィールドに含まれる指示情報（ＲＵ数がＬ１である）及び第２情報フィールドに含まれる指示情報（ＯＦＤＭシンボル数がＬ２である）に基づき、データ領域に占有された時間・周波数リソース位置を決定し、さらに、第４情報フィールドにより示すＭＣＳ及び第５情報フィールドにより示すチャネル情報に基づき、決定されたデータ領域においてデータを送信するか受信する。さらに、ダウンリンクデータ伝送の場合、ＵＥは、前記ＤＣＩ内の第６情報フィールドにより示すＨＡＲＱプロセスＩＤに基づき、ＡＣＫ/ＮＡＣＫフィードバックを行い、第７情報フィールドにより示すＡＣＫ/ＮＡＣＫ情報に基づきＵＬ ＨＡＲＱを行う。
【０１００】
当該例において、ｃｏｎｔｒｏｌ ｃｈａｎｎｅｌは、周波数領域においてＲＵ#０（即ち、１番目ＲＵ）を占有し、時間領域においてインデックスがＯＦＤＭシンボル#０（即ち、１番目ＯＦＤＭシンボル）であるシンボルを占有し、このとき、データ領域に占有された時間・周波数位置は、周波数領域において占有されたインデックスが０ないし（Ｌ１−１）であるＲＵであり、総計Ｌ１個のＲＵである。時間領域において占有されたＯＦＤＭシンボルは、インデックスが０ないし（Ｌ２−１）のＯＦＤＭシンボルであり、総計Ｌ２個のＯＦＤＭシンボルである。さらに、ＤＣＩに周波数領域開始位置及び時間領域の開始位置情報が含まれる場合、端末は、開始位置情報及びリソースサイズ情報により、データ伝送の具体的なリソース位置を決定することができる。
【０１０１】
シナリオ１において、他の例には、基地局が送信するＤＣＩは図６ｂに示す。図６ｂのＤＣＩは、図６ａのＤＣＩと比べると、サービスタイプ及び/または伝送タイプを示す第８情報フィールドが追加され、当該情報フィールドは、現在基地局の伝送タイプ及び/またはサービスタイプを示すことができる。
【０１０２】
上記例のＲＵをＲＢに代わることができ、即ち、第１情報フィールドは、前記ＤＣＩによりスケジューリングされたデータリソースに占有されたＲＢ数を示す。
【０１０３】
シナリオ２
当該シナリオにおいて、基地局は、１グループのＵＥ（例えば、３つのＵＥ、それぞれはＵＥ１、ＵＥ２及びＵＥ３である）をスケジューリングし、また、前記ＵＥに割り当てられた伝送リソースの、周波数領域において占有されたＲＵ数がＬ１であり、時間領域において占有されたＯＦＤＭシンボル数がＬ２である。当該シナリオにおいて、ＤＣＩの情報フィールド構成及びリソース指示は図７ａに示す。
【０１０４】
ネットワーク側において、基地局は、１サブフレームのダウンリンクＴＴＩのＰＤＣＣＨにおいてＤＣＩを伝送し、前記ＤＣＩによりスケジューリングされた３つのＵＥ、及びこれらのＵＥのために当該ダウンリンクＴＴＩにおいて割り当てられた伝送リソースを示す。ここで、ＤＣＩの第１情報フィールドはＬ１个ＲＵを示し、第２情報フィールドは、Ｌ２個のＯＦＤＭシンボルを示し、第３情報フィールドは、スケジューリングされたＵＥ１、ＵＥ２及びＵＥ３のＩＤを示し、第４情報フィールドは、当該３つのＵＥそれぞれに用いられる変調方式及びコーディングレベルを示し、第５情報フィールドはこれら３つのＵＥ各自のチャネル情報を示し、第６情報フィールドはこれらの３つのＵＥ各自のＨＡＲＱ ｐｒｏｃｅｓｓ ＩＤを示し、第７情報フィールドはこれら３つのＵＥ各自のＵＬ ＨＡＲＱフィードバック情報を示す。ここで、各々情報フィールド内の情報はマッピングの前後順番に応じて1つずつ対応する。例えば、第３情報フィールド内のＵＥ１ ＩＤは、第４情報フィールド内の１番目ＭＣＳ指示情報と対応し、かつ、第５情報フィールド内の１番目チャネル情報と対応し、かつ、第６指示フィールド内の１番目ＨＡＲＱ ｐｒｏｃｅｓｓ ＩＤと対応し、かつ、第７情報フィールド内の１番目ＡＣＫ/ＮＡＣＫ情報と対応し、このように類推できる。
【０１０５】
端末側において、ＵＥは、前記ＤＣＩを受信した後、第３情報フィールドに含まれるＵＥ ＩＤに基づき前記ＵＥ ＩＤが前記ＵＥ自分のＵＥ ＩＤと同様であると判断すれば、前記ＵＥがスケジューリングされたと判定し、前記ＵＥは、制御チャネル（ｃｏｎｔｒｏｌ ｃｈａｎｎｅｌ）が位置するＲＵを参照し、第１情報フィールドに含まれる指示情報（ＲＵ数がＬ１である）及び第２情報フィールドに含まれる指示情報（ＯＦＤＭシンボル数がＬ２である）に基づき、データ領域に占有された時間・周波数リソース位置を決定し、さらに、第４情報フィールドにより示すＭＣＳ及び第５情報フィールドにより示すチャネル情報に基づき、決定されたデータ領域においてデータを送信するか受信する。さらに、ダウンリンクデータ伝送の場合、ＵＥは、前記ＤＣＩ内の第６情報フィールドにより示すＨＡＲＱプロセスＩＤに基づき、ＡＣＫ/ＮＡＣＫフィードバックを行い、第７情報フィールドにより示すＡＣＫ/ＮＡＣＫ情報に基づきＵＬ ＨＡＲＱを行う。
【０１０６】
当該例には、ｃｏｎｔｒｏｌ ｃｈａｎｎｅｌは、周波数領域においてＲＵ#０（即ち、１番目ＲＵ）を占有し、時間領域においてインデックスがＯＦＤＭシンボル#０（即ち、１番目ＯＦＤＭシンボル）であるシンボルを占有し、このとき、データ領域に占有された時間・周波数位置は、周波数領域において占有されたインデックスが０ないし（Ｌ１−１）であるＲＵであり、総計Ｌ１個のＲＵである。時間領域において占有されたＯＦＤＭシンボルは、インデックスが０ないし（Ｌ２−１）のＯＦＤＭシンボルであり、総計Ｌ２個のＯＦＤＭシンボルである。基地局は、ＵＥ１、ＵＥ２及びＵＥ３をスケジューリングして、当該時間・周波数リソースにおいてＭＩＭＯ伝送を行う。さらに、ＤＣＩに周波数領域開始位置及び時間領域の開始位置情報が含まれる場合、端末は、開始位置情報及びリソースサイズ情報により、データ伝送の具体的なリソース位置を決定することができる。
【０１０７】
シナリオ２において、他の例には、基地局が送信するＤＣＩは図７ｂに示す。図７ｂに示すＤＣＩは、図７ａのＤＣＩと比べると、サービスタイプ及び/または伝送タイプを示す第８情報フィールドが追加され、当該情報フィールドは、現在基地局の伝送タイプ及び/またはサービスタイプを示すことができる。
【０１０８】
上記例のＲＵをＲＢに代わることができ、即ち、第１情報フィールドは、前記ＤＣＩによりスケジューリングされたデータリソースに占有されたＲＢ数を示す。。
【０１０９】
シナリオ３
当該シナリオにおいて、基地局は、１グループのＵＥ（例えば、３つのＵＥ、それぞれはＵＥ１、ＵＥ２及びＵＥ３である）をスケジューリングし、当該１グループのＵＥは類似するチャネル条件及びサービスタイプを有する。基地局が前記ＵＥのために割り当てられた伝送リソースの、周波数領域において占有されたＲＵ数がＬ１であり、時間領域において占有されたＯＦＤＭシンボル数がＬ２である。当該シナリオにおいて、ＤＣＩの情報フィールド構成及びリソース指示は図８ａに示す。
【０１１０】
ネットワーク側において、基地局は、１サブフレームのダウンリンクＴＴＩのＰＤＣＣＨにおいてＤＣＩを伝送し、前記ＤＣＩによりスケジューリングされた３つのＵＥ、及びこれらのＵＥのために当該ダウンリンクＴＴＩにおいて割り当てられた伝送リソースを示す。ここで、ＤＣＩの第１情報フィールドはＬ１个ＲＵを示し、第２情報フィールドは、Ｌ２個のＯＦＤＭシンボルを示し、第３情報フィールドは、スケジューリングされたＵＥ１、ＵＥ２及びＵＥ３のＩＤを示し、第４情報フィールドは、これらの３つのＵＥに共通に用いられる変調方式及びコーディングレベルを示し、第５情報フィールドは３つのＵＥの共通のチャネル情報を示し、第６情報フィールドはこれらの３つのＵＥ各自のＨＡＲＱ ｐｒｏｃｅｓｓ ＩＤを示し、第７情報フィールドはこれら３つのＵＥ各自のＵＬ ＨＡＲＱフィードバック情報を示す。ここで、各々情報フィールド内の情報はマッピングの前後順番に応じて1つずつ対応する。例えば、，第３情報フィールド内のＵＥ１ ＩＤは、第６指示フィールド内の１番目ＨＡＲＱ ｐｒｏｃｅｓｓ ＩＤと対応し、かつ、第７情報フィールド内の１番目ＡＣＫ/ＮＡＣＫ情報と対応し、このように類推できる。
【０１１１】
この場合、ＤＣＩに第９情報フィールドを別にに追加して、，１グループのＵＥに割り当てられたＤＣＩにより示すデータ領域が等しく割り当てられているか否かを示し、当該情報フィールドは１ビット情報フィールドであることができる。例えば、前記第９情報フィールド内の指示情報の値が１である場合、この３角スケジューリングされたＵＥに、ＤＣＩにより示すデータ領域が等しく割り当てられ、即ち、時間領域において等しく割り当てられるか、または、周波数領域において等しく割り当てられる。
【０１１２】
端末側において、ＵＥは、前記ＤＣＩを受信した後、第３情報フィールドに含まれるＵＥ ＩＤに基づき前記ＵＥ ＩＤが前記ＵＥ自分のＵＥ ＩＤと同様であると判断すれば、前記ＵＥがスケジューリングされたと判定し、前記ＵＥは、制御チャネル（ｃｏｎｔｒｏｌ ｃｈａｎｎｅｌ）が位置するＲＵを参照し、第１情報フィールドに含まれる指示情報（ＲＵ数がＬ１である）、第２情報フィールドに含まれる指示情報（ＯＦＤＭシンボル数がＬ２である）及び第９情報フィールドにより示す情報に基づき、データ領域に占有された時間・周波数リソース位置を決定する。さらに、第４情報フィールドにより示すＭＣＳ及び第５情報フィールドにより示すチャネル情報に基づき、決定されたデータ領域においてデータを送信するか受信する。さらに、ダウンリンクデータ伝送の場合、ＵＥは、前記ＤＣＩ内の第６情報フィールドにより示すＨＡＲＱプロセスＩＤに基づき、ＡＣＫ/ＮＡＣＫフィードバックを行い、第７情報フィールドにより示すＡＣＫ/ＮＡＣＫ情報に基づきＵＬ ＨＡＲＱを行う。
【０１１３】
当該例には、ｃｏｎｔｒｏｌ ｃｈａｎｎｅｌは、周波数領域においてＲＵ#０（即ち、１番目ＲＵ）を占有し、時間領域においてインデックスがＯＦＤＭシンボル#０（即ち、１番目ＯＦＤＭシンボル）であるシンボルを占有し、このとき、データ領域に占有された時間・周波数位置は、周波数領域において占有されたインデックスが０ないし（Ｌ１−１）であるＲＵであり、総計Ｌ１個のＲＵである。時間領域において占有されたＯＦＤＭシンボルは、インデックスが０ないし（Ｌ２−１）のＯＦＤＭシンボルであり、総計Ｌ２個のＯＦＤＭシンボルである。さらに、ＤＣＩに周波数領域開始位置及び時間領域の開始位置情報が含まれる場合、端末は、開始位置情報及びリソースサイズ情報により、データ伝送の具体的なリソース位置を決定することができる。
【０１１４】
シナリオ３において、他の例には、基地局が送信するＤＣＩは図８ｂに示す。図８ｂのＤＣＩは、図８ａのＤＣＩとくラベルと、サービスタイプ及び/または伝送タイプを示す第８情報フィールドが追加され、当該情報フィールドは、現在基地局の伝送タイプ及び/またはサービスタイプを示すことができる。
【０１１５】
上記例のＲＵをＲＢに代わることができ、即ち、第１情報フィールドは、前記ＤＣＩによりスケジューリングされたデータリソースに占有されたＲＢ数を示す。
【０１１６】
同様な発明思想に基づき、本発明に係る実施例は基地局を提供し、基地局葉、上記実施例に説明したネットワーク側でのＤＣＩ伝送機能を実現することができる。
【０１１７】
図９は本発明に係る実施例の基地局構造図である。当該基地局は送信モジュール９０２を備える。
【０１１８】
実施例の場合、割り当てモジュール９０１及び/または伝送モジュール９０３をさらに備えることができる。
【０１１９】
前記割り当てモジュール９０１は、Ｎ個のユーザーに情報伝送リソースを割り当てる。
【０１２０】
前記送信モジュール９０２は、ＤＣＩを伝送する。前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザー）を指示する第３情報フィールドとのうちの１つ以上が含まれ、Ｎは１より大きいか等しい整数である。
【０１２１】
具体的に、ＤＣＩには、前記ＤＣＩによりスケジューリングされたデータリソースに占有された周波数領域リソースサイズを示す第１情報フィールド（例えば、当該情報フィールドは、占有されたリソースサイズ、または、占有されたリソース位置及びリソースサイズ等を示すことができる）と、前記ＤＣＩによりスケジューリングされたデータリソースに占有された時間領域リソースサイズを示す第２情報フィールドとが含まれる。
【０１２２】
前記伝送モジュール９０３は、割り当てられた伝送リソースにおいて前記Ｎ個のユーザーにデータを伝送する。
【０１２３】
１実施形態において、前記ＤＣＩによりスケジューリングされたデータリソースに占有された周波数領域リソースは、
前記ＤＣＩによりスケジューリングされたデータリソースに占有されたリソースブロック数、または、
前記ＤＣＩによりスケジューリングされたデータリソースに占有されたリソースブロック数及びリソース開始位置、または、
前記ＤＣＩによりスケジューリングされたデータリソースに占有されたリソース・エレメント数、または、
前記ＤＣＩによりスケジューリングされたデータリソースに占有されたリソース・エレメント数及びリソース・エレメントの開始インデックス、または、
前記ＤＣＩによりスケジューリングされたデータリソースに占有されたサブキャリア数、または、
前記ＤＣＩによりスケジューリングされたデータリソースに占有されたサブキャリア数及び開始インデックスを含む。
【０１２４】
１実施形態において、前記ＤＣＩによりスケジューリングされたデータリソースに占有された時間領域リソースは、
前記ＤＣＩによりスケジューリングされたデータリソースに占有されたシンボル数、または、
前記ＤＣＩによりスケジューリングされたデータリソースに占有されたシンボル数及び開始シンボルインデックス、または、
前記ＤＣＩによりスケジューリングされたデータ伝送に用いられる伝送時間間隔（ＴＴＩ）長、または、
前記ＤＣＩによりスケジューリングされたデータ伝送に用いられる伝送時間間隔（ＴＴＩ）長及びデータ伝送の時間領域の開始位置を含む。
【０１２５】
１実施形態において、第３情報フィールドは、前記スケジューリングされたＮ個のユーザーのユーザー識別子を示す。
【０１２６】
１実施形態において、ＤＣＩには以下情報フィールドのうちの１つまたはそれらの任意の組み合わせが含まれる。
【０１２７】
◎１つまたは１グループのＭＣＳ（Ｍｏｄｕｌａｔｉｏｎ ａｎｄ Ｃｏｄｉｎｇ Ｓｃｈｅｍｅ）を示す第４情報フィールド
◎１つまたは１グループの多入力多出力チャネル情報を示す第５情報フィールド
◎１つまたは１グループのＨＡＲＱ プロセス識別子を示す第６情報フィールド：
◎１つまたは１グループのアップリンクＨＡＲＱのACK/ NACK情報を示す第７情報フィールド
◎伝送タイプ及び/またはサービスタイプを示す第８情報フィールド
１実施形態において、第７情報フィールドは、アップリンクデータをスケジューリングするためのＤＣＩに含まれることができる。
【０１２８】
１実施形態において、ダウンリンク制御情報に第９情報フィールドがさらに含まれる。前記第９情報フィールドは、スケジューリングされた１グループのユーザーが前記ＤＣＩ内の前記第１情報フィールド及び前記第２情報フィールドにより示される時間・周波数リソース領域を等しく割り当てられているかどうかを示し、前記等しく割り当てられることは、時間領域において等しく割り当てられ、または、周波数領域において等しく割り当てられることを含む。
【０１２９】
同様な発明思想に基づき、本発明に係る実施例は端末をさらに提供し、当該端末は上記実施例に記載した端末側でのＤＣＩ伝送機能を実現することができる。
【０１３０】
図１０は本発明に係る実施例の端末構造図である。当該端末は受信モジュール１００１を備える。
【０１３１】
実施の際、伝送モジュール１００２をさらに備えることもできる。
【０１３２】
前記受信モジュール１００１はＤＣＩを受信する。前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザー）を指示する第３情報フィールドとのうちの１つ以上が含まれ、Ｎは１より大きいか等しい整数である。 
【０１３３】
前記伝送モジュール１００２，割り当てられた伝送リソースにおいてデータを受信するか送信する。
【０１３４】
具体的に、ＤＣＩには、前記ＤＣＩによりスケジューリングされたデータリソースに占有された周波数領域リソースサイズを示す第１情報フィールド（例えば、当該情報フィールドは、占有されたリソースサイズ、または、占有されたリソース位置及びリソースサイズ等を示すことができる）と、前記ＤＣＩによりスケジューリングされたデータリソースに占有された時間領域リソースサイズを示す第２情報フィールドとが含まれる。
【０１３５】
１実施形態において、前記ＤＣＩによりスケジューリングされたデータリソースに占有された周波数領域リソースは、
前記ＤＣＩによりスケジューリングされたデータリソースに占有されたリソースブロック数、または、
前記ＤＣＩによりスケジューリングされたデータリソースに占有されたリソースブロック数及びリソース開始位置、または、
前記ＤＣＩによりスケジューリングされたデータリソースに占有されたリソース・エレメント数、または、
前記ＤＣＩによりスケジューリングされたデータリソースに占有されたリソース・エレメント数及びリソース・エレメントの開始インデックス、または、
前記ＤＣＩによりスケジューリングされたデータリソースに占有されたサブキャリア数、または、
前記ＤＣＩによりスケジューリングされたデータリソースに占有されたサブキャリア数及び開始インデックスを含む。
【０１３６】
１実施形態において、前記ＤＣＩによりスケジューリングされたデータリソースに占有された時間領域リソースは、
前記ＤＣＩによりスケジューリングされたデータリソースに占有されたシンボル数、または、
前記ＤＣＩによりスケジューリングされたデータリソースに占有されたシンボル数及び開始シンボルインデックス、または、
前記ＤＣＩによりスケジューリングされたデータ伝送に用いられる伝送時間間隔（ＴＴＩ）長、または、
前記ＤＣＩによりスケジューリングされたデータ伝送に用いられる伝送時間間隔（ＴＴＩ）長及びデータ伝送の時間領域の開始位置を含む。
【０１３７】
１実施形態において、第３情報フィールドは、前記スケジューリングされたＮ個のユーザーのユーザー識別子を示す。
【０１３８】
１実施形態において、ＤＣＩには以下情報フィールドのうちの１つまたはそれらの任意の組み合わせが含まれる。
【０１３９】
◎１つまたは１グループのＭＣＳ（Ｍｏｄｕｌａｔｉｏｎ ａｎｄ Ｃｏｄｉｎｇ Ｓｃｈｅｍｅ）を示す第４情報フィールド
◎１つまたは１グループの多入力多出力チャネル情報を示す第５情報フィールド
◎１つまたは１グループのＨＡＲＱ プロセス識別子を示す第６情報フィールド
◎１つまたは１グループのアップリンクＨＡＲＱのACK/ NACK情報を示す第７情報フィールド
◎伝送タイプ及び/またはサービスタイプを示す第８情報フィールド
１実施形態において、第７情報フィールドは、アップリンク伝送をスケジューリングするためのＤＣＩに含まれる。
【０１４０】
１実施形態において、ＤＣＩには第９情報フィールドがさらに含まれる。前記第９情報フィールドは、スケジューリングされた１グループのユーザーが前記ＤＣＩ内の前記第１情報フィールド及び前記第２情報フィールドにより示される時間・周波数リソース領域を等しく割り当てられているかどうかを示す。前記等しく割り当てられることは、時間領域において等しく割り当てられ、または、周波数領域において等しく割り当てられることを含む。
【０１４１】
同様な発明思想に基づき、本発明に係る実施例は基地局をさらに提供し、当該基地局は上記実施例に説明したネットワーク側でのＤＣＩ伝送フローチャートを実施する。
【０１４２】
図１１は本発明に係る実施例の基地局構造図である。図に示すように、当該基地局は、プロセッサ１１０１と、メモリ１１０２と、送受信機１１０３と、バスインターフェースとを備える。
【０１４３】
プロセッサ１１０１は、バズアーキテクチャ及び通常の処理を監視し、メモリ１１０２は、プロセッサ１１０１が動作する際に利用するデータを記憶することができる。送受信機１１０３は、プロセッサ１１０１の制御によりデータを送受信する。
【０１４４】
バスアーキテクチャは、いずれ数の相互接続するバス及びブリッジを備える。具体的に、プロセッサ１１０１が代表となる１つまたは複数のプロセッサ及びメモリ１１０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインタフェースはインタフェースを提供する。プロセッサ１１０１は、バズアーキテクチャ及び通常の処理を監視し、メモリ１１０２は、プロセッサ１１０１が動作する際に利用するデータを記憶することができる。
【０１４５】
本発明に係る実施例により開示されたフローチャートは、プロセッサ１１０１に適用することができるか、または、プロセッサ１１０１により実現される。実現される間、信号処理フローチャートにおける各々ステップは、プロセッサ１１０１内のハードウェアの論理集積回路またはソフトウェア形式の指令により完成されることができる。プロセッサ１１０１は、汎用プロセッサ、デジタル信号プロセッサ、専用集積回路、フィールドプログラマブル・ゲートアレイまたはたのプログラマブルロジック・デバイス、ディスクリート・ゲートまたはトランジスタロジック・デバイス 、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ１１０２に位置し、プロセッサ１１０１はメモリ１１０２に格納される情報を読み出して、そのハードウェアと協働して信号処理フローチャートステップを完成する。
【０１４６】
具体的に、プロセッサ１１０１はメモリ１１０２に格納されたプログラムを読み出して、ＤＣＩを伝送し、前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザー）を指示する第３情報フィールドとのうちの１つ以上が含まれ、Ｎは１より大きいか等しい整数である。
【０１４７】
具体的に、ＤＣＩには、前記ＤＣＩによりスケジューリングされたデータリソースに占有された周波数領域リソースサイズを示す第１情報フィールド（例えば、当該情報フィールドは、占有されたリソースサイズ、または、占有されたリソース位置及びリソースサイズ等を示すことができる）と、前記ＤＣＩによりスケジューリングされたデータリソースに占有された時間領域リソースサイズを示す第２情報フィールドとが含まれる。
【０１４８】
１実施形態において、前記ＤＣＩによりスケジューリングされたデータリソースに占有された周波数領域リソースは、
前記ＤＣＩによりスケジューリングされたデータリソースに占有されたリソースブロック数、または、
前記ＤＣＩによりスケジューリングされたデータリソースに占有されたリソースブロック数及びリソース開始位置、または、
前記ＤＣＩによりスケジューリングされたデータリソースに占有されたリソース・エレメント数、または、
前記ＤＣＩによりスケジューリングされたデータリソースに占有されたリソース・エレメント数及びリソース・エレメントの開始インデックス、または、
前記ＤＣＩによりスケジューリングされたデータリソースに占有されたサブキャリア数、または、
前記ＤＣＩによりスケジューリングされたデータリソースに占有されたサブキャリア数及び開始インデックスを含む。
【０１４９】
１実施形態において、前記ＤＣＩによりスケジューリングされたデータリソースに占有された時間領域リソースは、
前記ＤＣＩによりスケジューリングされたデータリソースに占有されたシンボル数、または、
前記ＤＣＩによりスケジューリングされたデータリソースに占有されたシンボル数及び開始シンボルインデックス、または、
前記ＤＣＩによりスケジューリングされたデータ伝送に用いられる伝送時間間隔（ＴＴＩ）長、または、
前記ＤＣＩによりスケジューリングされたデータ伝送に用いられる伝送時間間隔（ＴＴＩ）長及びデータ伝送の時間領域の開始位置を含む。
【０１５０】
１実施形態において、前記第３情報フィールドは、前記スケジューリングされたＮ個のユーザーのユーザー識別子を示す。
【０１５１】
１実施形態において、前記ＤＣＩには以下情報フィールドのうちの１つまたはそれらの任意の組み合わせが含まれる。
【０１５２】
◎１つまたは１グループのＭＣＳ（Ｍｏｄｕｌａｔｉｏｎ ａｎｄ Ｃｏｄｉｎｇ Ｓｃｈｅｍｅ）を示す第４情報フィールド
◎１つまたは１グループの多入力多出力チャネル情報を示す第５情報フィールド
◎１つまたは１グループのＨＡＲＱ プロセス識別子を示す第６情報フィールド
◎１つまたは１グループのアップリンクＨＡＲＱのACK/ NACK情報を示す第７情報フィールド
ここで、前記第７情報フィールドは、アップリンクデータをスケジューリングするためのＤＣＩに含まれる。
【０１５３】
◎伝送タイプ及び/またはサービスタイプを示す第８情報フィールド。
【０１５４】
１実施形態において、前記ＤＣＩには第９情報フィールドがさらに含まれ、前記第９情報フィールドは、スケジューリングされた１グループのユーザーが前記ＤＣＩ内の前記第１情報フィールド及び前記第２情報フィールドにより示される時間・周波数リソース領域を等しく割り当てられているかどうかを示す。前記等しく割り当てられることは、時間領域において等しく割り当てられ、または、周波数領域において等しく割り当てられることを含む。
【０１５５】
さらに、プロセッサ１１０１は、ダウンリンク制御情報を伝送する前、前記Ｎ個のユーザーのために情報伝送リソースを割り当てる。
【０１５６】
さらに、プロセッサ１１０１は、ダウンリンク制御情報を伝送した後、割り当てられた伝送リソースにおいて前記Ｎ個のユーザーにデータを伝送する。
【０１５７】
同様な発明思想に基づき、本発明に係る実施例は端末を提供し、当該端末は上記実施例に記載さらた端末側でのＤＣＩ伝送フローチャートを実施する。
【０１５８】
図１２は本発明に係る実施例の端末構造図である。図に示すように、当該端末は、プロセッサ１２０１と、メモリ１２０２と、送受信機１２０３と、バスインターフェースとを備える。
【０１５９】
プロセッサ１２０１は、バズアーキテクチャ及び通常の処理を監視し、メモリ１２０２はプロセッサ１２０１が動作する際に利用するデータを記憶することができる。送受信機１２０３は、プロセッサ１２０１のの制御によりデータを送受信する。
【０１６０】
バスアーキテクチャは、いずれ数の相互接続するバス及びブリッジを備える。具体的に、プロセッサ１２０１が代表となる１つまたは複数のプロセッサ及びメモリ１２０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。プロセッサ１２０１は、バズアーキテクチャ及び通常の処理を監視し、メモリ１２０２は、プロセッサ１２０１が動作する際に利用するデータを記憶することができる。
【０１６１】
本発明に係る実施例により開示されたフローチャートは、プロセッサ１２０１に適用することができるか、または、プロセッサ１２０１により実現される。実現される間、信号処理フローチャートにおける各々ステップは、プロセッサ１２０１内のハードウェアの論理集積回路またはソフトウェア形式の指令により完成されることができる。プロセッサ１２０１は、汎用プロセッサ、デジタル信号プロセッサ、専用集積回路、フィールドプログラマブル・ゲートアレイまたはたのプログラマブルロジック・デバイス、ディスクリート・ゲートまたはトランジスタロジック・デバイス 、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ１２０２に位置し、プロセッサ１２０１はメモリ１２０２に格納される情報を読み出して、そのハードウェアと協働して信号処理フローチャートステップを完成する。
【０１６２】
具体的に、プロセッサ１２０１は、メモリ１２０２に格納されたプログラムを読み出して、ＤＣＩを受信する。前記ＤＣＩには少なくとも以下の情報フィールドが含まれる。前記ＤＣＩによりスケジューリングされたデータリソースに占有された周波数領域リソースを指示する第１情報フィールド、前記ＤＣＩによりスケジューリングされたデータリソースに占有された時間領域リソースを指示する第２情報フィールド、スケジューリングされたＮ個のユーザー）を指示する第３情報フィールド、Ｎは１より大きいか等しい整数である。
【０１６３】
具体的に、ＤＣＩには、前記ＤＣＩによりスケジューリングされたデータリソースに占有された周波数領域リソースサイズを示す第１情報フィールド（例えば、当該情報フィールドは、占有されたリソースサイズ、または、占有されたリソース位置及びリソースサイズ等を示すことができる）と、前記ＤＣＩによりスケジューリングされたデータリソースに占有された時間領域リソースサイズを示す第２情報フィールドとが含まれる。
【０１６４】
１実施形態において、前記ＤＣＩによりスケジューリングされたデータリソースに占有された周波数領域リソースは、
前記ＤＣＩによりスケジューリングされたデータリソースに占有されたリソースブロック数、または、
前記ＤＣＩによりスケジューリングされたデータリソースに占有されたリソースブロック数及びリソース開始位置、または、
前記ＤＣＩによりスケジューリングされたデータリソースに占有されたリソース・エレメント数、または、
前記ＤＣＩによりスケジューリングされたデータリソースに占有されたリソース・エレメント数及びリソース・エレメントの開始インデックス、または、
前記ＤＣＩによりスケジューリングされたデータリソースに占有されたサブキャリア数、または、
前記ＤＣＩによりスケジューリングされたデータリソースに占有されたサブキャリア数及び開始インデックスを含む。
【０１６５】
１実施形態において、前記ＤＣＩによりスケジューリングされたデータリソースに占有された時間領域リソースは、
前記ＤＣＩによりスケジューリングされたデータリソースに占有されたシンボル数、または、
前記ＤＣＩによりスケジューリングされたデータリソースに占有されたシンボル数及び開始シンボルインデックス、または、
前記ＤＣＩによりスケジューリングされたデータ伝送に用いられる伝送時間間隔（ＴＴＩ）長、または、
前記ＤＣＩによりスケジューリングされたデータ伝送に用いられる伝送時間間隔（ＴＴＩ）長及びデータ伝送の時間領域の開始位置を含む。
【０１６６】
１実施形態において、前記第３情報フィールドは、前記スケジューリングされたＮ個のユーザーのユーザー識別子を示す。
【０１６７】
１実施形態において、前記ＤＣＩには以下情報フィールドのうちの１つまたはそれらの任意の組み合わせが含まれる。
【０１６８】
◎１つまたは１グループのＭＣＳ（Ｍｏｄｕｌａｔｉｏｎ ａｎｄ Ｃｏｄｉｎｇ Ｓｃｈｅｍｅ）を示す第４情報フィールド
◎１つまたは１グループの多入力多出力チャネル情報を示す第５情報フィールド
◎１つまたは１グループのＨＡＲＱ プロセス識別子を示す第６情報フィールド
◎１つまたは１グループのアップリンクＨＡＲＱのACK/ NACK情報を示す第７情報フィールド
◎伝送タイプ及び/またはサービスタイプを示す第８情報フィールド
前記第７情報フィールドは、アップリンク伝送をスケジューリングするためのＤＣＩに含まれる。
【０１６９】
１実施形態において、前記ＤＣＩには第９情報フィールドがさらに含まれ、前記第９情報フィールドは、スケジューリングされた１グループのユーザーが前記ＤＣＩ内の前記第１情報フィールド及び前記第２情報フィールドにより示される時間・周波数リソース領域を等しく割り当てられているかどうかを示す。前記等しく割り当てられることは、時間領域において等しく割り当てられ、または、周波数領域において等しく割り当てられることを含む。
【０１７０】
さらに、プロセッサ１２０１は、ダウンリンク制御情報を受信した後、割り当てられた伝送リソースにおいてデータを受信するか送信する。
【０１７１】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。  
【０１７２】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１７３】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
【０１７４】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１７５】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。  
【０１７６】
本出願は、２０１６年２月２日に中国特許局に提出し、出願番号が２０１６１００７４５５９.８であり、発明名称が「ダウンリンク制御情報の伝送方法及び装置」との中国特許出願、及び本出願は、２０１６年３月４日に中国特許局に提出し、出願番号が２０１６１０１２５５８４．４であり、発明名称が「ダウンリンク制御情報の伝送方法及び装置」との中国特許出願を基礎とする優先権を主張し、その開示の総てをここに取り込む。
【図１】
2019504572.tif 000005
【図２】
2019504572.tif 000006
【図３】
2019504572.tif 000007
【図４】
2019504572.tif 000008
【図５】
2019504572.tif 000009
【図６ａ】
2019504572.tif 000010
【図６ｂ】
2019504572.tif 000011
【図７ａ】
2019504572.tif 000012
【図７ｂ】
2019504572.tif 000013
【図８ａ】
2019504572.tif 000014
【図８ｂ】
2019504572.tif 000015
【図９】
2019504572.tif 000016
【図１０】
2019504572.tif 000017
【図１１】
2019504572.tif 000018
2019504572.tif 000019
【図１２】
2019504572.tif 000020
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
ダウンリンク制御情報（ＤＣＩ）を伝送し、
前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザー）を指示する第３情報フィールドとのうちの１つ以上が含まれ、Ｎは１より大きいか等しい整数であることを特徴とするダウンリンク制御情報の伝送方法。
【請求項２】
前記ＤＣＩによりスケジューリングされたデータリソースに占有された周波数領域リソースは、
前記ＤＣＩによりスケジューリングされたデータリソースに占有されたリソースブロック数、または、
前記ＤＣＩによりスケジューリングされたデータリソースに占有されたリソースブロック数及びリソース開始位置、または、
前記ＤＣＩによりスケジューリングされたデータリソースに占有されたリソース・エレメント数、または、
前記ＤＣＩによりスケジューリングされたデータリソースに占有されたリソース・エレメント数及びリソース・エレメントの開始インデックス、または、
前記ＤＣＩによりスケジューリングされたデータリソースに占有されたサブキャリア数、または、
前記ＤＣＩによりスケジューリングされたデータリソースに占有されたサブキャリア数及び開始インデックスを含むことを特徴とする請求項１に記載のダウンリンク制御情報の伝送方法。
【請求項３】
前記ＤＣＩによりスケジューリングされたデータリソースに占有された時間領域リソースは、
前記ＤＣＩによりスケジューリングされたデータリソースに占有されたシンボル数、または、
前記ＤＣＩによりスケジューリングされたデータリソースに占有されたシンボル数及び開始シンボルインデックス、または、
前記ＤＣＩによりスケジューリングされたデータ伝送に用いられる伝送時間間隔（ＴＴＩ）長、または、
前記ＤＣＩによりスケジューリングされたデータ伝送に用いられる伝送時間間隔（ＴＴＩ）長及びデータ伝送の時間領域の開始位置を含むことを特徴とする請求項１に記載のダウンリンク制御情報の伝送方法。
【請求項４】
前記第３情報フィールドは、前記スケジューリングされたＮ個のユーザーのユーザー識別子を示し、
ＤＣＩを伝送する前、基地局は、前記Ｎ個のユーザーのため伝送リソースを割り当て、
ＤＣＩを伝送した後、基地局は、割り当てられた伝送リソースに基づき、前記Ｎ個のユーザーにデータを伝送することを特徴とする請求項１に記載のダウンリンク制御情報の伝送方法。
【請求項５】
前記ＤＣＩには、
１つまたは１グループのＭＣＳ（Ｍｏｄｕｌａｔｉｏｎ ａｎｄ Ｃｏｄｉｎｇ Ｓｃｈｅｍｅ）を示す第４情報フィールドと、
１つまたは１グループの多入力多出力チャネル情報を示す第５情報フィールドと、
１つまたは１グループのＨＡＲＱプロセス識別子を示す第６情報フィールドと、
１つまたは１グループのアップリンクＨＡＲＱのACK/ NACK情報を示す第７情報フィールドと、
伝送タイプ及び/またはサービスタイプを示す第８情報フィールドとのうちの１つまたはそれらの任意の組み合わせが含まれ、
前記第７情報フィールドは、アップリンク伝送をスケジューリングするためのＤＣＩに含まれ、
前記ＤＣＩには第９情報フィールドがさらに含まれ、前記第９情報フィールドは、スケジューリングされた１グループのユーザーが前記ＤＣＩ内の前記第１情報フィールド及び前記第２情報フィールドにより示される時間・周波数リソース領域を等しく割り当てられているかどうかを示し、前記等しく割り当てられることは、時間領域において等しく割り当てられ、または、周波数領域において等しく割り当てられることを含むことを特徴とする請求項１から４までのいずれか１項に記載のダウンリンク制御情報の伝送方法。
【請求項６】
ダウンリンク制御情報（ＤＣＩ）を受信し、
前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザー）を指示する第３情報フィールドとのうちの１つ以上が含まれ、Ｎは１より大きいか等しい整数であることを特徴とするダウンリンク制御情報の伝送方法。
【請求項７】
前記ＤＣＩによりスケジューリングされたデータリソースに占有された周波数領域リソースは、
前記ＤＣＩによりスケジューリングされたデータリソースに占有されたリソースブロック数、または、
前記ＤＣＩによりスケジューリングされたデータリソースに占有されたリソースブロック数及びリソース開始位置、または、
前記ＤＣＩによりスケジューリングされたデータリソースに占有されたリソース・エレメント数、または、
前記ＤＣＩによりスケジューリングされたデータリソースに占有されたリソース・エレメント数及びリソース・エレメントの開始インデックス、または、
前記ＤＣＩによりスケジューリングされたデータリソースに占有されたサブキャリア数、または、
前記ＤＣＩによりスケジューリングされたデータリソースに占有されたサブキャリア数及び開始インデックスを含むことを特徴とする請求項６に記載のダウンリンク制御情報の伝送方法。
【請求項８】
前記ＤＣＩによりスケジューリングされたデータリソースに占有された時間領域リソースは、
前記ＤＣＩによりスケジューリングされたデータリソースに占有されたシンボル数、または、
前記ＤＣＩによりスケジューリングされたデータリソースに占有されたシンボル数及び開始シンボルインデックス、または、
前記ＤＣＩによりスケジューリングされたデータ伝送に用いられる伝送時間間隔（ＴＴＩ）長、または、
前記ＤＣＩによりスケジューリングされたデータ伝送に用いられる伝送時間間隔（ＴＴＩ）長及びデータ伝送の時間領域の開始位置を含むことを特徴とする請求項６に記載のダウンリンク制御情報の伝送方法。
【請求項９】
前記第３情報フィールドは、前記スケジューリングされたＮ個のユーザーのユーザー識別子を示し、
ダウンリンク制御情報を受信した後、基地局から割り当てられた伝送リソースにおいてデータを送信するか受信することを特徴とする請求項６に記載のダウンリンク制御情報の伝送方法。
【請求項１０】
前記ＤＣＩには、
１つまたは１グループのＭＣＳ（Ｍｏｄｕｌａｔｉｏｎ ａｎｄ Ｃｏｄｉｎｇ Ｓｃｈｅｍｅ）を示す第４情報フィールドと
１つまたは１グループの多入力多出力チャネル情報を示す第５情報フィールドと
１つまたは１グループのＨＡＲＱプロセス識別子を示す第６情報フィールドと、
１つまたは１グループのアップリンクＨＡＲＱのACK/ NACK情報を示す第７情報フィールドと、
伝送タイプ及び/またはサービスタイプを示す第８情報フィールドとのうちの１つまたはそれらの任意の組み合わせが含まれ、
前記第７情報フィールドは、アップリンク伝送をスケジューリングするためのＤＣＩに含まれ、
前記ＤＣＩには第９情報フィールドがさらに含まれ、前記第９情報フィールドは、スケジューリングされた１グループのユーザーが前記ＤＣＩ内の前記第１情報フィールド及び前記第２情報フィールドにより示される時間・周波数リソース領域を等しく割り当てられているかどうかを示し、前記等しく割り当てられることは、時間領域において等しく割り当てられ、または、周波数領域において等しく割り当てられることを特徴とする請求項６から９までのいずれか１項に記載のダウンリンク制御情報の伝送方法。
【請求項１１】
ダウンリンク制御情報（ＤＣＩ）を伝送する送信モジュールを備え、
前記ＤＣＩには、前記ＤＣＩによりスケジューリングされたデータリソースに占有された周波数領域リソースを指示する第１情報フィールドと、前記ＤＣＩによりスケジューリングされたデータリソースに占有された時間領域リソースを指示する第２情報フィールドと、スケジューリングされたＮ個のユーザー）を指示する第３情報フィールドとのうちの１つ以上が含まれ、Ｎは１より大きいか等しい整数であることを特徴とする基地局。
【請求項１２】
前記ＤＣＩによりスケジューリングされたデータリソースに占有された周波数領域リソースは、
前記ＤＣＩによりスケジューリングされたデータリソースに占有されたリソースブロック数、または、
前記ＤＣＩによりスケジューリングされたデータリソースに占有されたリソースブロック数及びリソース開始位置、または、
前記ＤＣＩによりスケジューリングされたデータリソースに占有されたリソース・エレメント数、または、
前記ＤＣＩによりスケジューリングされたデータリソースに占有されたリソース・エレメント数及びリソース・エレメントの開始インデックス、または、
前記ＤＣＩによりスケジューリングされたデータリソースに占有されたサブキャリア数、または、
前記ＤＣＩによりスケジューリングされたデータリソースに占有されたサブキャリア数及び開始インデックスを含むことを特徴とする請求項１１に記載の基地局。
【請求項１３】
前記ＤＣＩによりスケジューリングされたデータリソースに占有された時間領域リソースは、
前記ＤＣＩによりスケジューリングされたデータリソースに占有されたシンボル数、または、
前記ＤＣＩによりスケジューリングされたデータリソースに占有されたシンボル数及び開始シンボルインデックス、または、
前記ＤＣＩによりスケジューリングされたデータ伝送に用いられる伝送時間間隔（ＴＴＩ）長、または、
前記ＤＣＩによりスケジューリングされたデータ伝送に用いられる伝送時間間隔（ＴＴＩ）長及びデータ伝送の時間領域の開始位置を含むことを特徴とする請求項１１に記載の基地局。
【請求項１４】
前記第３情報フィールドは、前記スケジューリングされたＮ個のユーザーのユーザー識別子を示し、
ダウンリンク制御情報を伝送する前、前記Ｎ個のユーザーのために情報伝送リソースを割り当てる割り当てモジュールと、
ダウンリンク制御情報を伝送した後、割り当てられた伝送リソースにおいて前記Ｎ個のユーザーにデータを伝送する伝送モジュールとを備えることを特徴とする請求項１１に記載の基地局。
【請求項１５】
前記ＤＣＩには、
１つまたは１グループのＭＣＳ（Ｍｏｄｕｌａｔｉｏｎ ａｎｄ Ｃｏｄｉｎｇ Ｓｃｈｅｍｅ）を示す第４情報フィールドと、
１つまたは１グループの多入力多出力チャネル情報を示す第５情報フィールドと、
１つまたは１グループのＨＡＲＱプロセス識別子を示す第６情報フィールドと、
１つまたは１グループのアップリンクＨＡＲＱのACK/ NACK情報を示す第７情報フィールドと、
伝送タイプ及び/またはサービスタイプを示す第８情報フィールドとのうちの１つまたはそれらの任意の組み合わせが含まれ、
前記第７情報フィールドは、アップリンク伝送をスケジューリングするためのＤＣＩに含まれ、
前記ＤＣＩには第９情報フィールドがさらに含まれ、前記第９情報フィールドは、スケジューリングされた１グループのユーザーが前記ＤＣＩ内の前記第１情報フィールド及び前記第２情報フィールドにより示される時間・周波数リソース領域を等しく割り当てられているかどうかを示し、前記等しく割り当てられることは、時間領域において等しく割り当てられ、または、周波数領域において等しく割り当てられることを含むことを特徴とする請求項１１から１４までのいずれか１項に記載の基地局。
【国際調査報告】
2019504572.tif 000021
2019504572.tif 000022
2019504572.tif 000023
2019504572.tif 000024